(57)【特許請求の範囲】
【請求項１】
所定の払出条件の成立に基づいて遊技媒体を払出する遊技媒体払出部と、該遊技媒体払出部から払出された遊技媒体が待機する遊技媒体待機部と、を備え、該遊技媒体待機部に待機する遊技媒体を使用して遊技を行う遊技機であって、
前記遊技媒体待機部から溢れ出た遊技媒体および前記遊技媒体待機部が待機中の遊技媒体にて満杯状態である場合において前記遊技媒体払出部から払出された遊技媒体が通過する溢れ遊技媒体通路と、
該溢れ遊技媒体通路を通過する遊技媒体を検出する溢れ遊技媒体検出手段と、
該溢れ遊技媒体検出手段における遊技媒体の検出に基づき、該検出された遊技媒体数を遊技に使用可能な遊技媒体数として加算更新する加算更新手段と、
該加算更新手段により加算された遊技媒体数を記憶する記憶部と、
該記憶部に記憶されている遊技媒体数を表示する遊技媒体数表示部と、
少なくとも前記溢れ遊技媒体検出手段にて検出された遊技媒体を貯留する遊技媒体貯留部と、
遊技機の下方位置から上方位置に架設されて遊技媒体を移送するための遊技媒体移送通路と、
前記遊技媒体貯留部に連結され、該遊技媒体貯留部に貯留された遊技媒体を、前記遊技媒体移送通路を通して遊技機の上方位置へ移送する移送部と、
該移送部により移送され前記遊技媒体移送通路の上方位置より排出された遊技媒体を前記遊技媒体払出部に導く遊技媒体環流通路と、
遊技機を循環する遊技媒体量を監視するための遊技媒体量監視手段と、
前記記憶部に記憶されている遊技媒体数の範囲内における遊技媒体を前記遊技媒体払出部から前記遊技媒体待機部に払出させるための遊技媒体払戻手段と、
該遊技媒体払戻手段により前記遊技媒体払出部から前記遊技媒体待機部へ払出される遊技媒体を検出する払戻遊技媒体検出手段と、
前記遊技媒体を遊技機外部に取り出すための外部取出部と、
前記記憶部に記憶されている遊技媒体数の範囲内における遊技媒体を前記外部取出部より遊技者が遊技機外部に取り出すために操作する外部取出操作部と、
該外部取出操作部の操作に基づき前記記憶部に記憶されている遊技媒体数の範囲内における遊技媒体を前記遊技媒体払出部から前記外部取出部に払出させるための遊技媒体取出手段と、
該遊技媒体払出部から払出された遊技媒体を前記外部取出部に導くための遊技媒体取出通路と、
前記遊技媒体払出部より前記外部取出部に払出される遊技媒体を検出する外部取出遊技媒体検出手段と、
前記払戻遊技媒体検出手段及び前記外部取出遊技媒体検出手段による前記遊技媒体の検出に基づき、前記記憶部に記憶されている遊技媒体数を減算更新する減算更新手段と、
前記外部取出部から排出される遊技媒体の取出準備が完了しているか否かを検出する取出準備完了検出部と、
を備え、
前記遊技媒体取出手段は、前記取出準備完了検出部による取出準備の完了が検出された場合において、前記遊技媒体払出部から遊技媒体を払出させることを特徴とする遊技機。
【請求項２】
少なくとも前記遊技媒体払戻手段により前記遊技媒体払出部から払い出される遊技媒体が通過する払い戻し遊技媒体通路と、遊技媒体の貸し出し或いは入賞に基づき前記遊技媒体払出部から払い出される遊技媒体が通過する払い出し遊技媒体通路とを備え、これら各通路のいずれかに前記遊技媒体払出部より払い出された遊技媒体の通路を切り替える通路切り替え部が設けられている請求項１に記載の遊技機。
【発明の詳細な説明】
【０００１】
【発明の属する技術の分野】
本発明は、遊技場等の遊技を実施可能な適宜な場所に設置される遊技機、例えば、パチンコ遊技機、雀球遊技機、アレンジボール遊技機や遊技媒体としてコインや遊技球を使用するスロットマシンなどの遊技機、特には１台の遊技機に必要とされる遊技媒体量を大幅に少ないものにできる遊技機に関する。
【０００２】
【従来の技術】
近年、遊技場にあっては、遊技客の嗜好の多様化に伴う遊技機の機種増加や、遊技場の運営効率の向上を計ること等の観点から、遊技場に設置される遊技機の台数が増加する傾向にある。
【０００３】
一方、これら設置される遊技機においても、従来の現金機等に比較してより射幸性の高いカードリーダー（ＣＲ）式パチンコ機等の遊技機が主流を占めるようになってきている。
【０００４】
【発明が解決しようとする課題】
これら遊技機の射幸性の向上に伴って、遊技機の外部に排出されてストックされる遊技媒体であるパチンコ球が増加する傾向にあるとともに、前述のように遊技場に設置される遊技機の台数が増加する傾向にあることから、膨大な量の遊技媒体であるパチンコ玉を遊技場が用意し、管理することが必要とされているが、これら膨大な量の遊技媒体を購入し、管理するには非常に多くのコストが必要であるという問題があり、これらの問題等を解決することのできる遊技機として、遊技によって獲得した遊技媒体を一度クレジットしておき、必要に応じてクレジットした遊技媒体を再度払い出させて遊技に使用可能とされたクレジット式遊技機が考えられる。
【０００５】
これらクレジット式の遊技機は、前述のように、遊技場が用意しなければならない遊技媒体量の低減が可能であり、これら遊技媒体の管理に必要とされる労力を大幅に低減できる可能性を有するものであるが、これらクレジット式遊技機においても、従来の遊技機と同様に遊技媒体を遊技機に補充するための補給設備等が必要であることから、これらクレジット式の遊技機の設置にあっては、前記補給設備が既にある場所に設置するか、或いはこれら補給設備を新たに設置できる場所を選定する必要があり、これらクレジット式の遊技機の設置における自由度が低く、遊技機を所望する任意の場所に配置したいという要望に答えられないという問題があった。
【０００６】
よって、本発明は上記した問題点に着目してなされたもので、補給装置や揚送装置等の各種装置を島の改造や新設において設ける必要を無くすことで、遊技機の設置における自由度を向上でき、且つ１台の遊技機に必要とされる遊技媒体数を大幅に低減することのできる遊技機を提供することを目的としている。
【０００７】
【課題を解決するための手段】
前記した問題を解決するために、本発明の遊技機は、所定の払出条件の成立に基づいて遊技媒体を払出する遊技媒体払出部と、該遊技媒体払出部から払出された遊技媒体が待機する遊技媒体待機部と、を備え、該遊技媒体待機部に待機する遊技媒体を使用して遊技を行う遊技機であって、
前記遊技媒体待機部から溢れ出た遊技媒体および前記遊技媒体待機部が待機中の遊技媒体にて満杯状態である場合において前記遊技媒体払出部から払出された遊技媒体が通過する溢れ遊技媒体通路と、
該溢れ遊技媒体通路を通過する遊技媒体を検出する溢れ遊技媒体検出手段と、
該溢れ遊技媒体検出手段における遊技媒体の検出に基づき、該検出された遊技媒体数を遊技に使用可能な遊技媒体数として加算更新する加算更新手段と、
該加算更新手段により加算された遊技媒体数を記憶する記憶部と、
該記憶部に記憶されている遊技媒体数を表示する遊技媒体数表示部と、
少なくとも前記溢れ遊技媒体検出手段にて検出された遊技媒体を貯留する遊技媒体貯留部と、
遊技機の下方位置から上方位置に架設されて遊技媒体を移送するための遊技媒体移送通路と、
前記遊技媒体貯留部に連結され、該遊技媒体貯留部に貯留された遊技媒体を、前記遊技媒体移送通路を通して遊技機の上方位置へ移送する移送部と、
該移送部により移送され前記遊技媒体移送通路の上方位置より排出された遊技媒体を前記遊技媒体払出部に導く遊技媒体環流通路と、
遊技機を循環する遊技媒体量を監視するための遊技媒体量監視手段と、
前記記憶部に記憶されている遊技媒体数の範囲内における遊技媒体を前記遊技媒体払出部から前記遊技媒体待機部に払出させるための遊技媒体払戻手段と、
該遊技媒体払戻手段により前記遊技媒体払出部から前記遊技媒体待機部へ払出される遊技媒体を検出する払戻遊技媒体検出手段と、
前記遊技媒体を遊技機外部に取り出すための外部取出部と、
前記記憶部に記憶されている遊技媒体数の範囲内における遊技媒体を前記外部取出部より遊技者が遊技機外部に取り出すために操作する外部取出操作部と、
該外部取出操作部の操作に基づき前記記憶部に記憶されている遊技媒体数の範囲内における遊技媒体を前記遊技媒体払出部から前記外部取出部に払出させるための遊技媒体取出手段と、
該遊技媒体払出部から払出された遊技媒体を前記外部取出部に導くための遊技媒体取出通路と、
前記遊技媒体払出部より前記外部取出部に払出される遊技媒体を検出する外部取出遊技媒体検出手段と、
前記払戻遊技媒体検出手段及び前記外部取出遊技媒体検出手段による前記遊技媒体の検出に基づき、前記記憶部に記憶されている遊技媒体数を減算更新する減算更新手段と、
前記外部取出部から排出される遊技媒体の取出準備が完了しているか否かを検出する取出準備完了検出部と、
を備え、
前記遊技媒体取出手段は、前記取出準備完了検出部による取出準備の完了が検出された場合において、前記遊技媒体払出部から遊技媒体を払出させることを特徴としている。
この特徴によれば、少なくとも前記遊技媒体払出部より払い出されて前記溢れ遊技媒体検出手段にて検出された遊技媒体が前記記憶部に加算記憶されるとともに、該検出済みとなった遊技媒体が前記遊技媒体貯留部、移送部、遊技媒体移送通路、遊技媒体環流通路を通じて前記遊技媒体払出部に環流され、再度遊技媒体払出部より払い出されるようになり、これら遊技媒体が遊技機１台にて循環使用されるようになるため、１台の遊技機に必要とされる遊技媒体量を大幅に低減することができ、且つ前記遊技媒体貯留部、移送部、遊技媒体移送通路、遊技媒体環流通路を有することから遊技機の設置における自由度を向上できるとともに、前記遊技媒体量監視手段にて遊技媒体の増加或いは減少を監視できるようになるため、これら遊技媒体の増加或いは減少による不具合の発生を事前に把握することができる。また、前記記憶部に記憶されている遊技媒体数を目視にて確認することができるとともに、一度前記記憶部に加算された遊技媒体数を再度前記遊技媒体待機部へ払出させて、再度遊技に使用することができる。さらに、遊技者は前記外部取出操作部を操作することで、前記記録部に記録されている遊技媒体数の範囲内の遊技媒体を、前記外部取出部より遊技機外部に任意に取り出すことができる。そして、例えば遊技球貯留箱の配置等の遊技媒体の貯留準備が完了していない時点にて、誤って前記外部取出操作部が操作されても、遊技媒体が外部取出部より排出されてしまうことを回避できる。
【００１９】
本発明の遊技機は、少なくとも前記遊技媒体払戻手段により前記遊技媒体払出部から排出される遊技媒体が通過する払い戻し遊技媒体通路と、遊技媒体の貸し出し或いは入賞に基づき前記遊技媒体払出部から払出される遊技媒体が通過する払い出し遊技媒体通路とを備え、これら各通路のいずれかに前記遊技媒体払出部より払い出された遊技媒体の通路を切り替える通路切り替え部が設けられていることが好ましい。
このようにすれば、遊技媒体の払い戻し用の遊技媒体払出部と、遊技媒体の貸し出し或いは入賞に基づく遊技媒体の払い出し用の遊技媒体払出部とを個別に設ける必要がなく、遊技機を簡素化することができる。
【００２０】
【発明の実施の形態】
以下、図面に基づいて本発明の実施形態を説明する。なお、以下の説明において、遊技媒体としてパチンコ玉を使用した遊技機を示すが、本発明はこれに限定されるものではなく、その他の遊技媒体、例えばコインを使用する遊技機についても適用可能である。
【００２１】
（実施例１）
図１は、本実施例１の遊技機であるパチンコ機並びに該パチンコ機に対応して設けられた遊技用記録媒体処理装置としてのカードユニットを示す外観正面図であり、図２は、本実施例１のパチンコ機の打球待機皿を示す上面図であり、図３は、本実施例１のパチンコ機の背面図を示す図であり、図４は、本実施例１のパチンコ機並びにカードユニットの構成を示すブロック図である。
【００２２】
本実施例１における遊技機であるパチンコ機２並びに記録媒体処理装置としてのカードユニット３は、図１に示すような外観を有しており、従来のパチンコ機と同様に、パチンコ機２に対応して遊技用記録媒体であるプリペイドカードや会員カードを挿入することで、前記パチンコ機２より遊技媒体であるパチンコ球の貸し出しが実施されて遊技が実施可能となるカードユニット３が設けられている。
【００２３】
まず、本実施例１の遊技機であるパチンコ機２について説明すると、該パチンコ機２は、図１に示すように、額縁状に形成されたガラス扉枠２０１を有し、該ガラス扉枠２０１の上部表面には遊技に使用可能なパチンコ球数であるクレジット球数や遊技の中断時間等を表示する上部表示器２２８が設けられているとともに、遊技機の略中央位置には打球待機皿２２０が突設した態様にて設けられている。また、該打球待機皿２２０の下部には、該打球待機皿２２０に待機するパチンコ球を発射するための打球操作ハンドル２４０が設けられている。
【００２４】
前記打球待機皿２２０の上面には、図２に示すように、所定数のパチンコ球を待機球として一時貯留するとともに、その待機球の流下方向下部位置が細幅とされて、前記打球操作ハンドル２４０の操作によりパチンコ球を打ち出す揺動ハンマ２９３’へ待機球を供給する待機球供給樋へ待機球を整列移送する皿部２２１が設けられているとともに、該皿部２２１の上面は、蝶番２２６により開閉可能に取付けられた透明な開閉蓋２２５にて覆われていて、該皿部２２１内に待機しているパチンコ球の貯留状態を目視にて確認できるようになっているとともに、該開閉蓋２２５を開けることで外部に取り出したパチンコ球等を直接投入することができるようになっている。尚、本実施例では、前記開閉蓋２２５の開成角度は、前記開閉蓋２２５からのパチンコ球の取出を不容易化するために約４５度程度に規制しているが、本発明はこれに限定されるものではない。
【００２５】
また、前記皿部２２１の待機球の流下方向中央部位置には、待機球の存在を検出する待機球検出センサ２２２が設けられていて、該待機球検出センサ２２２による検出情報に基づいて、前記クレジット球数からのパチンコ球の自動払い戻しや、プリペイドカードや会員カードからのパチンコ球の自動貸し出しが実施されるとともに、前記待機球供給樋へ通じる流路にはシャッタ２４５を備えた待機球排出口２４４が設けられていて、該シャッタ２４５がソレノイド２４５’にて開放されることで、図３に示すように、前記皿部２２１上の待機球が待機球排出口２４４より流入して待機球排出通路２７７を通じてパチンコ機２の裏面下部に設けられているクレジット球スイッチ２８３に送られて検出され、該待機球がクレジット球数に加算されるようになっている。
【００２６】
図２に示すように、この皿部２２１が漸次細幅となる打球待機皿２２０の上面には、遊技者により前記カードユニット３に設けられた後述するカード挿入口３０５に挿入されたプリペイドカードや会員カードの記録情報により特定される該カードに残存する大きさの遊技用有価価値であるプリペイド度数を表示するためのカード残高表示部２２７と、前記上部表示器２２８と同様に遊技に使用可能なパチンコ球数であるクレジット球数を表示するためのクレジット表示部２２３と、遊技の開始または前記クレジット表示部２２３に表示されているクレジット球数が「０」になった際等に押圧操作されて、前記カード残高表示部２２７に残度数が存在する場合に所定数（本実施例では１２５球）のパチンコ球の貸し出しを受けるために操作される球貸ボタン２３１と、前記待機球検出センサ２２２の待機球の検出状況に基づいて前記クレジット球数からのパチンコ球の自動払い戻しやパチンコ球の自動貸し出しの実施を設定／解除するための自動払戻（球貸）ボタン２３２と、該自動払戻（球貸）ボタン２３２による自動払戻（球貸）の設定がなされている際に点灯される自動払戻（球貸）ランプ２３３と、中断時に操作されることで所定の中断処理を実施する中断ボタン２３５と、該中断ボタン２３５の操作による中断時に点灯される中断中ランプ２３６と、遊技終了時に操作されることで所定の精算処理を実施する精算ボタン２３４と、が設けられており、これら各部は打球待機皿２２０内部に設けられている第１操作基板２２９上に実装されている。
【００２７】
また、パチンコ機２の下部中央位置には、遊技にて獲得したパチンコ球をパチンコ機２の外部に取り出すための外部取出口２４９が設けられており、前記打球待機皿２２０の右側方上部位置に設けられている外部払出ボタン２３９を操作することにより、該外部払出ボタン２３９を操作している間、前記クレジット表示部２２３に表示されているクレジット球が前記外部取出口２４９から排出される。この外部取出口２４９の下部位置には、該外部取出口２４９から排出されるパチンコ球を貯留するための貯留箱２５１や手等が配置されていることを検知するための取出準備検出センサ２５０が設けられていて、該取出準備検出センサ２５０による検出がなされない場合には、前記外部取出口２４９からパチンコ球が排出されないようになっている。
【００２８】
前記外部払出ボタン２３９は第２操作基板２３７に設けられ、該基板には前記クレジット表示部２２３に表示されているクレジット球を前記打球待機皿２２０に排出させるための上皿払出ボタン２３８が設けられており、遊技者は該上皿払出ボタン２３８を操作することで、クレジット球から所定数（例えば１２５球）のパチンコ球の前記打球待機皿２２０への払い戻しを任意に受けることができる。
【００２９】
また、該第２操作基板２３７と遊技領域２０３を挟んだ反対位置となるパチンコ機２の略中央左位置には、前記遊技領域２０３に設けられた各入賞口への入賞により付与される賞球が加算表示されるとともに、払出が実施された賞球数が減算表示され、その時点にてまだ実際に払出がなされていない未払出のパチンコ球数が表示される未払出球表示部２３０が設けられており、遊技者は入賞して実際にまだ払出が実施されていない未払出のパチンコ球の数を確認することができるようになっている。
【００３０】
尚、パチンコ機２の上端部左位置には、後述する上部貯留タンク２６０に貯留されているパチンコ球が所定の貯留上限量に達していることを報知するための満タン報知ランプ２４１と、パチンコ機２の背面下部位置に設けられている回収球タンク２８４内に貯留されているパチンコ球が所定の下限量に達していることを報知するためのタンク空報知ランプ２４２とが設けられていて、係員等がパチンコ機２内のパチンコ球の量を外部より確認できるようになっている。
【００３１】
前記ガラス扉枠２０１の後方には、遊技盤２０２が着脱可能に取付けられている。また、遊技盤２０２の前面には遊技領域２０３が設けられている。この遊技領域２０３の上部中央付近には、「特別図柄」と呼ばれる複数種類の識別情報が可変表示される第１可変表示部２０４と、「普通図柄」と呼ばれる複数種類の識別情報が可変表示される第２可変表示部２０５と、が設けられている。また、遊技領域２０３の下部中央付近には、特定入賞口２１３ａと通常入賞口２１３ｂとが形成され、電源投入により常時回転する回転円盤２１３を内部に備えた振分装置２１２が設けられている。また、前記第１可変表示部２０４の右側には、パチンコ球を１球収容可能な切欠２１４ａが形成され、電源投入により常時回転する回転ロータ２１４が設けられている。また遊技盤２０３には、複数の通常入賞口２０９や通過ゲート２０６、始動入賞口２０７、第１可変入賞球装置２１０、第２可変入賞球装置２１５が設けられているとともに、遊技領域２０３の下部には、いずれの入賞口にも入賞しなかったパチンコ球を回収するアウト口２１７が形成されている。
【００３２】
尚、本実施例１のパチンコ機２における遊技盤２０２には、一般的なパチンコ機における遊技盤よりも大径の遊技盤を用いており、このように大径の遊技盤２０２を用いることで、本実施例では、第１種遊技を実施可能とするための役物として始動入賞口２０７や第１可変表示部２０４等とともに、第３種遊技を実施可能とするための役物である振分装置２１２等を設けて、第１種遊技と第３種遊技の双方の遊技を実施できるようにしている。このようにすることは、遊技者が複数の遊技プロセスにて遊技を行うことができ、遊技者の興趣を大幅に向上させることができることから好ましいが、本発明はこれに限定されるものではない。
【００３３】
前記打球操作ハンドル２４０が操作されると、遊技機の背面下部に設けられている後述する打球発射モータ２９３が駆動され、これに伴い揺動ハンマ２９３’が揺動して打球待機皿２２０に待機する待機球が順次、遊技領域２０３内へ発射される。この際、この発射速度は、前記打球操作ハンドル２３５の回動量にて遊技者が調節することができる。これら発射されたパチンコ球は、打球発射レール２４７を通って遊技領域２０３に入り、その後、遊技領域２０３を流下していく。この際、発射勢いが弱すぎて前記遊技領域２０３に達しなかったパチンコ球は、ファール口２４８に回収され、図３に示すようにパチンコ機２の背面に設けられた後述するクレジット球通路２７５に合流し、クレジット球スイッチ２８３に検出されてクレジット加算された後、パチンコ機２の背面側下部位置に設けられた回収球タンク２８４に回収される。
【００３４】
また、前記遊技領域２０３に打ち込まれ、いずれの入賞口にも入賞しなかったパチンコ球はアウト口２１７に回収され、図３に示すように、遊技領域２０３の各入賞口に入賞した入賞球とともにパチンコ機２の背面側の打込球合流樋２５７により収集されて打込球検出スイッチ２７９にて検出された後、前記回収球タンク２８４に回収される。
【００３５】
また、前記遊技領域２０３に打ち込まれたパチンコ玉が通常入賞口２０９に入賞すると、入賞したパチンコ球は通常入賞球検出スイッチＳＷ３に検出されて所定の賞球が前記打球待機皿２２０に払い出されるとともに、図３に示すように、前記打込球合流樋２５７に送られて打込球検出スイッチ２７９に検出された後、前記回収球タンク２８４に回収される。
【００３６】
また、前記遊技領域２０３に打ち込まれたパチンコ球が通過ゲート２０６を通過すると、ゲートスイッチＳＷ１がパチンコ球の通過を検出し、第２可変表示部２０５に停止表示されている普通図柄の可変表示が開始する。
【００３７】
この第２可変表示部２０５の可変表示動作後の表示結果が予め定められた特定の表示結果（たとえば７）となった場合に、遊技領域２０３の略左下方部に形成されている始動入賞口２０７に設けられた可動片２０８が所定時間開成してパチンコ球が始動入賞口２０７に入賞し易い遊技者にとって有利な状態となる。
【００３８】
この始動入賞口２０７にパチンコ球が入賞すると、入賞したパチンコ球が始動入賞球検出スイッチＳＷ２に検出され、第１可変表示部２０４において全特別図柄が可変表示（変動表示）を開始する。そして、その後、左、中、右の特別図柄が停止し、その停止表示結果が予め定められた特定の表示態様（たとえば７７７）となった場合に、第１種特定遊技状態（大当り状態）が発生する。このように大当り状態が発生した場合には、第１可変入賞球装置２１０に設けられた開閉板２１１が開成して遊技者にとって有利な第１の状態となる。この第１の状態は、所定期間（たとえば３０秒間）の経過またはパチンコ球の所定個数（たとえば１０個）の入賞のうちいずれか早い方の条件が成立することにより終了し、その後、遊技者にとって不利な第２の状態、すなわち前記開閉板２１１が閉じた状態となる。前記第１可変入賞球装置２１０の内部には、通常入賞口と特定入賞口（Ｖポケット）とが設けられており、第１の状態となっている第１可変入賞球装置２１０の内部に進入したパチンコ球が前記特定入賞口に入賞して特定入賞球検出スイッチ（Ｖカウントスイッチ）ＳＷ５により検出されれば、その回の第１の状態の終了を待って前記第２の状態から前記第１の状態に制御する繰返し継続制御が行なわれる。この繰返し継続制御の上限回数は例えば１５回と定められている。
【００３９】
また、前記始動入賞口２０７に入賞し、始動入賞球検出スイッチＳＷ２に検出されたパチンコ球は、前記通常入賞口２０９と同様に前記打込球合流樋２５７にて収集され、打込球検出スイッチ２７９に検出されて前記回収球タンク２８４に回収される。また、前記第１可変入賞球装置２１０内部に進入し、前記通常入賞口に入賞して通常入賞球検出スイッチＳＷ４に検出されたパチンコ球も、他の入賞球と同様に前記打込球合流樋２５７にて収集され、打込球検出スイッチ２７９に検出されて前記回収球タンク２８４に回収される。更に、前記第１可変入賞球装置２１０内部に進入し、前記特定入賞口に入賞して特定入賞球検出スイッチＳＷ５に検出されたパチンコ球も、他の入賞球と同様に前記打込球合流樋２５７にて収集され、打込球検出スイッチ２７９に検出されて前記回収球タンク２８４に回収される。
【００４０】
また、前記遊技領域２０３に打ち込まれたパチンコ球が前記振分装置２１２の内部に進入し、回転円盤２１３の通常入賞口２１３ｂに入賞すると、入賞したパチンコ球は通常入賞球検出スイッチＳＷ７にて検出され、回転円盤２１３の特定入賞口２１３ａに入賞すると、入賞したパチンコ球は特定入賞球検出スイッチＳＷ６に検出される。これら各検出スイッチにて検出された後、各入賞球は他の入賞球と同様に前記打込球合流樋２５７にて収集され、打込球検出スイッチ２７９に検出されて前記回収球タンク２８４に回収される。
【００４１】
また、前記特定入賞球検出スイッチＳＷ６によるパチンコ球の検出に基づき第３種特定遊技状態（大当り状態）が発生する。この状態で回転ロータ２１４の切欠２１４ａにパチンコ球が進入し、該進入したパチンコ球が回転ロータ２１４の回転に伴いロータ内入賞口２１４ｂに入賞すると、入賞したパチンコ球がロータ内入賞球検出スイッチＳＷ８に検出され、該検出に基づき第２可変入賞球装置２１５に設けられた開閉板２１６が開成して遊技者にとって有利な第１の状態となる。この第１の状態は、前記回転ロータ２１４の所定角度の回転またはパチンコ球の所定個数（たとえば１０個）の入賞のうちいずれか早い方の条件が成立することにより終了し、その後、遊技者にとって不利な第２の状態、すなわち前記開閉板２１６が閉じた状態となる。この第２の状態において再びパチンコ球がロータ内入賞口２１４ｂに入賞してロータ内入賞球検出スイッチＳＷ８に検出されると、前記第２の状態から前記第１の状態に制御する繰返し継続制御が行なわれる。この繰返し継続制御の上限回数は例えば１５回と定められている。
【００４２】
また、前記ロータ内入賞口２１４ｂに入賞してロータ内入賞球検出スイッチＳＷ８に検出されたパチンコ球並びに前記第２可変入賞球装置２１５内部に入賞して入賞球検出スイッチＳＷ９に検出されたパチンコ球も、前記各入賞球と同様に前記打込球合流樋２５７にて収集され、打込球検出スイッチ２７９に検出されて前記回収球タンク２８４に回収されるようになっており、該打込球合流樋２５７には、前記遊技領域２０３に打ち込まれたパチンコ球全てが排出されて収集され、該パチンコ球全てが前記打込球検出スイッチ２７９にて検出されるようになっており、これら打込球検出スイッチ２７９により検出された球数を積算することで打込球数を把握できるようになっている。また、前記ＳＷ２〜ＳＷ９によりパチンコ球が検出されると、予め各検出スイッチ毎に設定された賞球数分のパチンコ球が、後述する球切払出装置２６５により前記打球待機皿２２０に向けて払出される。
【００４３】
また、これら打込球合流樋２５７により収集され、前記打込球検出スイッチ２７９にて検出された各入賞球（セーフ球）並びに前記アウト口２１７より回収されたアウト球は、図３に示すように、打込球回収路２５８を通じてパチンコ機２の裏面下部位置にパチンコ球を貯留可能とされた回収球タンク２８４へ移送、回収される。
【００４４】
このように、打込球回収路２５８を設けて遊技に使用された入賞球（セーフ球）並びにアウト球を回収球タンク２８４へ移送、回収するようにすることは、これらの遊技に使用された球も後述する移送部としての揚送装置２８８にて揚送されて循環使用されるようになるため、パチンコ機２内部のパチンコ球を有効に使用することが可能となるとともに、一度使用される毎に清浄化されるようになって遊技盤面や各通路が汚れ難くなることから好ましいが、本発明はこれに限定されるものではない。
【００４５】
本実施例のパチンコ機２の裏面下部位置には、前述のように、遊技に使用されて回収されたパチンコ球を回収、貯留する回収球タンク２８４が設けられている。この回収球タンク２８４には、前記打球待機皿２２０の皿部２２１に遊技媒体排出部である球切払出装置２６５より排出されて供給されたパチンコ球が一杯である場合に、前記球流入口２４３より前記皿部２２１に流入できずに溢れたパチンコ球や該皿部２２１からこぼれ落ちたパチンコ球が流下するクレジット球流路２７５が接続されており、前記皿部２２１に流入できずに溢流（オーバーフロー）したパチンコ球は、該クレジット球流路２７５の流路上に設けられているクレジット球スイッチ２８３により検出されてクレジット球数に加算された後、前記回収球タンク２８４内に貯留される。
【００４６】
また、前記クレジット球流路２７５のクレジット球スイッチ２８３が設けられている上流部には、前記待機球排出口２４４から流入し、待機球排出通路２７７を流下してきたパチンコ球が合流する待機球合流口２７８が設けられており、これら待機球排出口２４４から流入してきた待機球も前記クレジット球スイッチ２８３にてクレジット加算されるようになっている。
【００４７】
また、前記クレジット球流路２７５の中流部には、前記ファール口２４８に繋がる合流部が形成されており、前記揺動ハンマ２９３’により打ち出されたが、発射勢いが弱すぎて前記遊技領域２０３に達することなく前記ファール口２４８より回収されたパチンコ球は、前記合流部からクレジット球流路２７５内に流入して前記クレジット球スイッチ２８３にて検出されることにより、該ファール球がクレジット加算されて再度遊技に使用できるようになっている。
【００４８】
これら回収球タンク２８４の回収、貯留されたパチンコ球は、揚送球通路２８６を通じてパチンコ機２の裏面角部に設けられている移送部としての揚送装置２８８に流入する。この揚送球通路２８６中には、該揚送球通路２８６にパチンコ球が存在するか否かを検出する揚送球検出センサ２８７が設けられており、該揚送球検出センサ２８７によりパチンコ球が検出されない場合においては、揚送装置２８８が稼働しないように制御されることで、揚送装置２８８が空回りすることを防止でき、無駄な電力使用を抑えられるようになる。
【００４９】
また、前記回収球タンク２８４の上部側部所定位置には、回収球タンク２８４内に貯留されているパチンコ球が所定の上限量に達したことを検出するための回収球満タン検出センサ２８５が設けられており、該回収球満タン検出センサ２８５がパチンコ球を検出した場合においては、前記球切払出装置２６５からのパチンコ球の排出が留保されるとともに、後述する上部貯留タンク２６０に設けられている上部タンク満タン検出センサ２６１によりパチンコ球の検出がなされている場合において前記打球操作ハンドル２４０が操作が無効とされて打球発射ができないように制御されることで、回収球タンク２８４内部に更なるパチンコ球が貯留されて、前記クレジット球スイッチ２８３等にパチンコ球が停止してしまうことが防止されるようになっている。
【００５０】
これら回収球タンク２８４内に貯留されたパチンコ球は、図３並びに図７に示すように、前記揚送球通路２８６に連設して設けられた移送部としての揚送装置２８８に供給される。この揚送装置２８８には、パチンコ機２の上部位置に設けられている上部貯留タンク２６０に繋がるように架設された遊技媒体環流経路を構成する揚送路２８９が接続されていて、前記揚送装置２８８内に設けられたスプロケット４０２が図中矢印方向に駆動モータ４０１により回転駆動されることで、前記揚送球通路２８６より供給されたパチンコ球が揚送路２８９に送り出されて、順次環流路２５９へ移送され、該環流路２５９の経路上に設けられた上部貯留タンク２６０に貯留される。
【００５１】
また、前記揚送路２８９の経路中には、図７に示すように、該揚送路２８９を移送されるパチンコ球の清浄化を行うための清浄部としての研磨装置２９０が設けられている。この研磨装置２９０は、巻取モータ４１９により回転駆動される駆動軸４１６並びに回転自在に軸支された回転軸４１７が設けられた台座４１２と、その内部にロール状に巻回された研磨布４１８が巻着されるリール４１４，４１５とパチンコ球が通過１列状に通過可能な球誘導路４１３とを有し、前記研磨布４１８が球誘導路４１３をかけ渡すように敷設された研磨カセット４１０と、から主に構成されており、前記研磨カセット４１０は前記台座４１２に着脱自在とされている。
【００５２】
この研磨カセット４１０を前記台座４１２に装着することで、前記揚送路２８９と前記球誘導路４１３とが連結し、該揚送路２８９を移送されるパチンコ玉が玉誘導路４１３内を案内されて移動することで、該玉誘導路４１３内に敷設された研磨布４１８と摺接することで研磨された後、再度揚送路２８９に流入して環流路２５９へ揚送される。
【００５３】
また、前記研磨布４１８が巻着されたリール４１４、４１５は巻取モータ４１９の回動に同期して回転する駆動軸４１６並びに回転軸４１７と前記装着により嵌合しており、所定間隔毎に駆動される巻取モータ４１９の回動により駆動軸４１６が回転することで、リール４１４、４１５が回転し、研磨布４１８がリール４１４側に巻取られるようになっている。これにより、研磨布４１８の球誘導路４１３内に敷設された部分、すなわちパチンコ球の研磨により汚れが付着した部分がリール４１４側に巻取られるとともに、まだ汚れの付着していないリール４１５側の部分が巻き出され、球誘導路４１３内に敷設されることで、良好な研磨（清浄化）が実施できるようになっている。
【００５４】
これら本実施例のように、前記研磨カセット４１０を用いた研磨装置２９０を用いることは、適宜に汚れていない研磨布４１８とパチンコ球とが摺接することになり、良好な研磨（清浄化）を実施できるとともに、省スペースでかつ研磨布の交換もカセット形状とすることで実施し易いことから好ましいが、本発明はこれに限定されるものではなく、これら揚送路２８９を揚送されるパチンコ球を清浄化できるものであれば、任意の研磨（清浄化）装置を使用することができる。
【００５５】
これら、研磨装置２９０にて研磨（清浄化）されて揚送路２８９を通じて揚送されたパチンコ球は、前記環流路２５９の経路上に設けられた前記上部貯留タンク２６０に貯留されていく。
【００５６】
この上部貯留タンク２６０には、該上部貯留タンク２６０に貯留されているパチンコ球が所定の上限量に達したことを検出するための上部タンク満タン検出センサ２６１が設けられており、この上部タンク満タン検出センサ２６１にてパチンコ球が検出された場合において、前記揚送装置２８８によるパチンコ球の揚送が停止されるように制御される。
【００５７】
この上部貯留タンク２６０下部位置には、パチンコ機２の裏面右部に設けられている球切払出装置２６５へ貯留されているパチンコ球を導く環流路２５９が設けられているとともに、該環流路２５９の経路中には、上部貯留タンク２６０に貯留されているパチンコ球をパチンコ機２下部位置の前記回収球タンク２８４に球抜通路２７３を通じて流下させるための球抜弁２６２が設けられているとともに、前記球切払出装置２６５の上流直上位置には、球切払出装置２６５へ供給されるパチンコ球の有無を検出する球切れセンサ２６３が設けられており、該球切れセンサ２６３によるパチンコ球の検出がない場合においては、前記球切払出装置２６５によるパチンコ球の払出が留保されるように制御される。
【００５８】
この本実施例に用いた球切払出装置２６５並びに球切払出装置２６５周辺の流路を図５に示す。本実施例の球切払出装置２６５内には、その一面にパチンコ球を収容可能な切り欠き部が形成された球切り部（図示略）を有し、伝達ギア４５１を介して駆動モータ４５０にて回動されることにより１回転にて３つの球を下流側に排出可能なスプロケット４５２と、該スプロケット４５２から排出されたパチンコ球の進路を、ソレノイド２６９の動作にて第１経路２６６或いは第２経路２６７に切り替える上部経路切替弁２６８と、該上部経路切替弁２６８の直下に設けられ、前記第１経路２６６を流下するパチンコ球を検出するための減算スイッチ２７０と、前記第２経路２６７を流下するパチンコ球を検出するための払出球検出スイッチ２８１と、が設けられており、前記駆動モータ４５０により前記スプロケット４５２の回転を適宜制御するとともに、前記ソレノイド２６９の動作を適宜に制御することで、所定数のパチンコ球が前記第１経路２６６或いは第２経路２６７のいずれかに排出される。尚、図５中の４５３は、球切払出装置２６５の前面を覆うカバーである。
【００５９】
この球切払出装置２６５より排出された各経路のパチンコ球は、該球切払出装置２６５の下部に設けられた下部進路切替装置２７４に連結路４５４を通じて供給される。この下部進路切替装置２７４内には、図５並びに図６に示すように、前記球切払出装置２６５内部に設けられている上部経路切替弁２６８並びにソレノイド２６９と同様に、下部経路切替弁２７１並びにソレノイド２７２が設けられており、前記第２経路２６７に払い出されたパチンコ球の進路を前記第１経路２６６に適宜に変更することができるようになっており、前記第１経路２６６は図３に示すように、取出球通路２７６介して前記外部取出口２４９に繋がっている。
【００６０】
また、前記第２通路２６７は、前記打球待機皿２２０の球流入口２４３に繋がっていて、最終的に該第２通路２６７を進路とされたパチンコ球は前記球流入口２４３より前記皿部２２１内に流入するか、前記クレジット球流路２７５を流下してクレジット球スイッチ２８３により検出された後、前記回収球タンク２８４内に貯留される。尚、図３中の２８２は、パチンコ機２の前記ガラス扉枠２０１の開閉を検知するためのドア開閉検出スイッチである。
【００６１】
これら球切払出装置２６５並びに下部進路切替装置２７４によるパチンコ球の払出状況、特に経路切替の状況について図６に基づき説明すると、まず、図６（ａ）は、クレジット球を前記外部取出口２４９よりパチンコ機２外部に取り出す際の状況を示したものであり、前記スプロケット４５２から排出されたパチンコ球は、その進路を変更されることなく第１経路２６６を流下し、前記減算スイッチ２７０にて検出されてクレジット球数が減算更新された後、該第１経路２６６を保ったまま前記取出球通路２７６を流下して外部取出口２４９より排出される。
【００６２】
次いで、図６（ｂ）は、クレジット球を前記打球待機皿２２０に払い戻す際の状況を示したものであり、前記スプロケット４５２から排出されたパチンコ球は、その進路を変更されることなく第１経路２６６を流下し、前記減算スイッチ２７０にて検出されてクレジット球数が減算更新された後、前記下部進路切替装置２７４の下部経路切替弁２７１にてその進路が前記第２経路２６７に変更されて、該第２経路２６７を流下して前記球流入口２４３より打球待機皿２２０の前記皿部２２１内に流入するか、或いは前記皿部２２１が満タンならば該皿部を溢れて前記クレジット球流路２７５を流下して前記クレジット球スイッチ２８３に検出されてクレジット加算されて回収球タンク２８４内に貯留される。
【００６３】
次いで、図６（ｃ）は、入賞による賞球の払い出し或いは貸し出しによるパチンコ球の払い出す際の状況を示したものであり、前記スプロケット４５２から排出されたパチンコ球は、前記上部経路切替弁２６８によりその進路を第２経路２６７に変更され、該第２経路２６７を流下する途中で前記払出球検出スイッチ２８１にて検出されて補給球数が加算更新された後、該第２経路２６７を流下して前記球流入口２４３より打球待機皿２２０の前記皿部２２１内に流入するか、或いは前記皿部２２１が満タンならば該皿部を溢れて前記クレジット球流路２７５を流下して前記クレジット球スイッチ２８３に検出されてクレジット加算されて回収球タンク２８４内に貯留される。
【００６４】
これら前記打球待機皿２２０に排出されたパチンコ球は、前述のように、遊技に使用されて前記打込球合流樋２５７並びに打込球回収路２５８を通じて回収球タンク２８４内に貯留され、遊技に使用されなかったファール球も前記クレジット球流路２７５に合流して最終的に回収球タンク２８４内に貯留されるようになっており、このように全てのパチンコ球が該回収球タンク２８４に収集され、揚送球として貯留され、前記揚送装置２８８にて上部貯留タンク２６０に揚送されることで、循環使用される。
【００６５】
これら本実施例のように、前記上部経路切替弁２６８を設けてスプロケット４５２から排出されたパチンコ球の進路を適宜に切り替えるようにすることは、前記スプロケット４５２を有する球切払出装置２６５を１つのみとすることができ、装置を簡素化できることから好ましいが、本発明はこれに限定されるものではなく、これら所定数のパチンコ球の払い出しを行う払出装置を個々の経路毎に設けるようにしても良い。
【００６６】
また、本実施例では、従来の遊技機における補給球数および打込球数をパチンコ機２の外部装置であるホールコンピュータ等に送信するために、前記払出球検出スイッチ２８１を第２経路に設けたり、前記打込球検出スイッチ２７９を設けたりしているが、本発明はこれに限定されるものではない。
【００６７】
また、本実施例では、前記スプロケット４５２の回転制御により所定数のパチンコ球を排出可能とされた球切払出装置２６５を用いているが、本発明はこれに限定されるものではなく、これら遊技媒体払出部としては、所定数のパチンコ球の払い出しを行うことのできるものであれば任意のものを使用できる。
【００６８】
以下、本実施例のパチンコ機２の構成を図４に基づき説明する。前記パチンコ機２の背面に形成された各種通路の上部には、各種基板等が搭載される機構板が設置されるようになっており、該機構板上には、パチンコ機２の制御を行う各種基板類が実装される。これら基板としては、入賞に基づく賞球の付与や前記各種抽選の実施等を行う遊技制御基板２９６や、前記第１可変表示部２０４や第２可変表示部２０５の表示制御を行う表示制御基板２９７、遊技効果ランプ等の制御を実施するランプ制御基板２９８、スピーカから出力される音声の制御を行う音声制御基板２９９、前記打球操作ハンドル２４０の操作に基づく打ち出し速度にてパチンコ球の遊技領域２０３への発射を行うように打球発射モータ２９３の制御を行う発射制御基板２９２、前記球払出装置２６５においてパチンコ球の払出を行うための駆動モータ４５０やソレノイド２６９並びに下部進路切替装置２７４内のソレノイド２７２の駆動制御を行う球払出制御基板２９４、揚送装置２８８や研磨装置２９０の駆動制御等を行う環流量制御手段として、また、遊技機を循環する遊技媒体量を監視するための遊技媒体量監視手段としての揚送制御基板２９５、前記クレジット球スイッチ２８３や前記減算スイッチ２７０におけるパチンコ球の検出に基づくクレジット球数の算出や、前記各操作基板に設けられている各種スイッチの入力に該当するクレジット球の払戻処理や精算処理や中断処理等の各種処理を実施する持球制御基板２９１が設けられており、これら各種基板類は図４に示すように接続されている。
【００６９】
これら各種基板類の構成について説明すると、前記遊技制御基板２９６には遊技制御マイクロコンピュータ（図示略）が設けられており、該遊技制御マイクロコンピュータは前記遊技盤２０２の各入賞口等に設けられた各種スイッチＳＷ１〜ＳＷ９におけるパチンコ球の検出に基づく賞球の付与や各種抽選の実施等を行うとともに、前記表示制御基板２９７やランプ制御基板２９８、音声制御基板２９９に対して各種指示信号を出力し、これら各基板に対して遊技状態に応じた演出制御を実施させるようになっている。また、前記遊技制御マイクロコンピュータは、前記各種スイッチＳＷ１〜ＳＷ９におけるパチンコ球の検出に基づき付与された賞球数を示す賞球信号や前述した特定遊技状態（大当り状態）の発生を示す大当り信号並びに前記第１可変表示部２０４の始動信号等の各種信号を逐次持球制御基板２９１に対して出力するようになっている。
【００７０】
また、前記発射制御基板２９２には、発射制御マイクロコンピュータ（図示略）が設けられており、該発射制御マイクロコンピュータは、前記持球制御基板２９１から出力される発射許可信号が出力されている状態において、前記打球操作ハンドル２４０の操作を有効として、該打球操作ハンドル２４０の回動量に相当する打ち出し速度にてパチンコ球の遊技領域２０３への発射を行うように打球発射モータ２９３を制御する。
【００７１】
また、前記球払出制御基板２９４には、球払出制御マイクロコンピュータ（図示略）が設けられており、該球払出制御マイクロコンピュータは、前記持球制御基板２９１から出力される経路指示信号に基づき前記球切払出装置２６５に設けられているソレノイド２６９並びに下部進路切替装置２７４に設けられているソレノイド２７２の励磁または解除を実施して、前記球切払出装置２６５から払い出されるパチンコ球の排出経路を前記第１経路２６６或いは第２経路２６７に適宜切り替える切換制御を行うとともに、前記環流路２５９の経路上に設けられた球切れセンサ２６３においてパチンコ球が検出されている際に前記持球制御基板２９１から出力される払出信号に基づく数量のパチンコ球を、前記球切払出装置２６５内に設けられている駆動モータ４５０を適宜駆動して払い出す制御を実施する。
【００７２】
また、揚送制御基板２９５には、前記揚送装置２８８並びに研磨装置２９０を初め、満タン検出センサ２６１や揚送球検出センサ２８７や前記ガラス扉枠２０１の開閉状況を検出するドア開閉検出スイッチ２８２（図３参照）が図４に示すように接続されているとともに、揚送制御マイクロコンピュータ（図示略）が設けられており、該揚送制御マイクロコンピュータは、前記上部タンク満タン検出センサ２６１や揚送球検出センサ２８７、回収球満タン検出センサ２８５、球切れセンサ２６３、ドア開閉検出スイッチ２８２の検出状況に基づいて、揚送装置２８８や研磨装置２９０の駆動制御を行うとともに、接続されている満タン報知ランプ２４１、タンク空報知ランプ２４２の点灯制御等を行うようになっている。
【００７３】
この揚送制御基板２９５に実装されている前記揚送制御マイクロコンピュータによる前記揚送装置２８８の揚送制御の制御動作について、図１０に示すフロー図に基づいて説明すると、まず、揚送制御マイクロコンピュータは、前記上部タンク満タン検出センサ２６１によるパチンコ球の検出が非検出（「ＯＦＦ」）であって、且つ前記揚送球検出センサ２８７による揚送球の検出が検出（「ＯＮ」）であり、且つ前記ドア開閉検出スイッチ２８２によるドア状態が閉（「ＯＮ」）であるかを監視し（Ｓｂ１）、これらが上記の条件に一致した場合において前記揚送装置２８８の稼働を開始し（Ｓｂ２）、前記条件に合致しない場合には前記Ｓｂ２を経由せずにＳｂ３へ進む。
【００７４】
次いで、前記上部タンク満タン検出センサ２６１によるパチンコ球の検出が検出（「ＯＮ」）であるか（Ｓｂ３）、或いは前記揚送球検出センサ２８７による揚送球の検出が非検出（「ＯＦＦ」）であるか（Ｓｂ４）、或いは前記ドア開閉検出スイッチ２８２によるドア状態が開（「ＯＦＦ」）であるか（Ｓｂ５）の判定を実施し、前記Ｓｂ３〜Ｓｂ５までのいずれかが合致した場合にはＳｂ６へ進み、揚送装置２８８による揚送を停止する。
【００７５】
また、前記Ｓｂ３〜Ｓｂ５までのいずれの判定にも合致しなかった場合にはＳｂ７へ進み、前記上部タンク満タン検出センサ２６１によるパチンコ球の検出が検出（「ＯＮ」）であって且つ前記回収球満タン検出センサ２８５によるパチンコ球（揚送球）の検出が検出（「ＯＮ」）であるかの判定を実施して、該判定が合致する場合においてはＳｂ８へ進んで前記満タン報知ランプ２４１を点灯するとともに、該判定結果を前記持球制御基板２９１に出力することにより、前記持点制御マイクロコンピュータ２９１ａによる発射許可信号の出力が停止されて前記打球操作ハンドル２４０の操作が無効化されて遊技が中断され、前記判定が合致しない場合にはＳｂ９へ進んで前記満タン報知ランプ２４１を消灯してＳｂ１０へ進む。
【００７６】
該Ｓｂ１０においては、球切れセンサ２６３によるパチンコ球の検出が非検出（「ＯＦＦ」）であるかの判定を実施して、該判定が合致する（非検出（「ＯＦＦ」））である場合においてはＳｂ１１に進んで前記タンク空報知ランプ２４２を点灯し、前記判定が合致しない場合にはＳｂ１２へ進んで前記タンク空報知ランプ２４２を消灯してＳｂ１へ戻るようになっており、前記上部貯留タンク２６０に過度のパチンコ球が揚送されて溢れることがなく、且つ前記回収球タンク２８４に揚送球がない場合に揚送装置２８８が空運転されることが防止されるようになっているとともに、前記満タン報知ランプ２４１並びにタンク空報知ランプ２４２が点灯されることで、前記上部貯留タンク２６０並びに環流路２５９内か空であることや、前記上部貯留タンク２６０並びに回収球タンク２８４にパチンコ球が一杯であることが報知されるようになっている。
【００７７】
図４に戻って、持球制御基板２９１には、該持球制御基板２９１において実施される各種制御や算出処理並びにデータ通信処理等を行う持球制御マイクロコンピュータ２９１ａや該持点制御マイクロコンピュータ２９１ａの制御プログラムやクレジット球数の算出プログラム等が記憶されたＲＯＭ２９１ｂ、ワークメモリ等として使用されるＲＡＭ２９１ｃ（記憶部）等が設けられている。
【００７８】
前記ＲＡＭ２９１ｃには、前記対応するカードユニット３にて受付けられたプリペイドカードや会員カードより読み出された度数が記憶される度数レジスタと、遊技に使用可能なクレジット球数が更新記憶される記憶部としてのクレジット球数レジスタと、前記遊技制御基板２９６からの賞球信号に基づいて前記球払出装置２６５にて払い出すべきパチンコ球数が加算記憶されるとともに該球払出装置２６５における払い出しが実施されたパチンコ球数が減算記憶され、該球払出装置２６５より未払い出しの賞球数が更新記憶される未払出球レジスタや、前記打込球検出スイッチ２７９にて検出された球数が加算更新記憶される打込球数レジスタや、前記払出球検出スイッチ２８１に加算更新記憶される補給球数レジスタや、前記遊技制御基板２９６から出力される大当り信号並びに前記第１可変表示部２０４の始動信号等の各種信号に基づく遊技情報が更新記憶される遊技情報レジスタや、遊技中断の際にカードユニット３に出力される中断情報等が記憶される中断レジスタ等が設けられている。
【００７９】
この持球制御基板２９１には、前記打球待機皿２２０に設けられている第１操作基板２２９や前記ガラス扉枠２０１の上部中央位置に設けられた上部表示器２２８、並びに前記ガラス扉枠２０１の下部左位置に設けられている前記未払出球表示部２３０が図４に示すように接続されており、前記持球制御マイクロコンピュータ２９１ａは、前記ＲＡＭ２９１ｃの前記クレジット球数レジスタに記憶されているクレジット球数を前記上部表示器２２８並びに前記第１操作基板２２９に設けられているクレジット表示部２２３に表示するように制御するとともに、前記ＲＡＭ２９１ｃの未払出球レジスタに記憶されている球数を前記未払出球表示部２３０に表示し、前記ＲＡＭ２９１ｃの前記度数レジスタに記憶されているプリペイド度数を前記カード残高表示部２２７に表示するように制御する。
【００８０】
また、持球制御基板２９１には、前記揺動ハンマ２９３’への待機球供給口に設けられている発射球検出センサ２４６が接続され、各センサからの信号が入力されるようになっているとともに、前記回収球タンク２８４に設けられている回収球満タン検出センサ２８５や、上部貯留タンク２６０に設けられている上部タンク満タン検出センサ２６１からの信号が前記揚送制御基板２９５を介して入力されるようになっており、前記持球制御マイクロコンピュータ２９１ａは、これら各センサによるパチンコ球の検出状況に基づき、前記発射制御基板２９２に対して発射許可信号を出力するようになっていて、これにより前記打球操作ハンドル２４０の操作によるパチンコ球の発射の有効／無効が制御されるようになっている。
【００８１】
具体的には、前記揚送基板２９５の前記揚送制御マイクロコンピュータにより回収球満タン検出センサ２８５並びに上部タンク満タン検出センサ２６１によるパチンコ球の検出がある旨の信号が出力された場合、並びに発射球検出センサ２４６によるパチンコ球の検出がない場合、前記持球制御マイクロコンピュータ２９１ａは、前記発射許可信号の出力を停止することで前記打球操作ハンドル２４０の操作を無効化し、遊技が継続されることにより前記回収球タンク２８４内に回収された揚送球が溢れてしまうことを防止するとともに、前記揺動ハンマ２９３’を揺動させる駆動モータ２９３が不必要に駆動されることを防止するようになっている。
【００８２】
尚、前記揚送制御マイクロコンピュータにより前記球切れセンサ２６３によるパチンコ球の検出がなされない旨の信号が出力された場合には、持球制御マイクロコンピュータ２９１ａは、前記発射制御基板２９２に対して前記発射許可信号の出力停止は行わないことで、前記打球待機皿２２０に残存している待機球を、遊技に使用することができるようになっている。
【００８３】
また、持球制御基板２９１には図４に示すように、前記クレジット球スイッチ２８３や減算スイッチ２７０、並びに打込球検出スイッチ２７９や、払出球検出スイッチ２８１が接続され、各スイッチからの信号が入力されるようになっており、前記持球制御マイクロコンピュータ２９１ａは、前記クレジット球スイッチ２８３からの信号に基づき前記クレジット球数レジスタに記憶されているクレジット球数への加算更新を実施し、前記減算スイッチ２７０からの信号に基づき前記クレジット球数レジスタに記憶されているクレジット球数の減算更新を実施するとともに、前記打込球検出スイッチ２７９からの信号に基づき前記打込球数レジスタの打込球数への加算更新を実施し、前記払出球検出スイッチ２８１からの信号に基づき前記補給球数レジスタの補給球数への加算更新を実施する。
【００８４】
更に持球制御基板２９１には、前記取出準備検出センサ２５０や打球待機皿２２０内に設けられている待機球検出センサ２２２が接続されており、前記持球制御マイクロコンピュータ２９１ａは、取出準備検出センサ２５０からの信号入力がある場合において、前記球払出装置２６５に前記払出信号を出力することで、外部取出口２４９から不用意にパチンコ球が排出されることを防止するようになっているとともに、待機球検出センサ２２２によるパチンコ球の検出信号の入力がない場合であって、前記第１操作基板２２９に設けられている前記自動払戻（球貸）ボタン２３２により自動払戻（球貸）が設定されている場合において、前記球払出装置２６５に前記払出信号を出力することで、クレジット球の払戻或いは残度数からの貸し出しが自動的に実施される。尚、これら自動払戻（球貸）においては、前記クレジット球からの払戻が優先されるようになっている。
【００８５】
また、持球制御基板２９１には、前記待機球排出口２４４を塞ぐように設けられているシャッタ２４５の開閉を行うソレノイド２４５’が接続されており、前記持球制御マイクロコンピュータ２９１ａは、該ソレノイド２４５’を前記精算ボタン２３４の操作に基づいて励磁して前記シャッタ２４５を開放することにより、前記待機球排出口２４４を通じて排出された前記打球待機皿２２０に待機するパチンコ球を前記クレジット球スイッチ２８３にて検出し、前記クレジット球レジスタに加算更新する。前記クレジット球スイッチ２８３にて待機球の検出が所定時間（本実施例では３秒）に渡って検出されない場合にソレノイド２４５’の励磁を解除して前記シャッタ２４５を閉じる制御を行なった後、該クレジット球レジスタに記憶されたクレジット球数を含む精算情報を対応するカードユニット３に対して送信し、該クレジット球レジスタのリセットを行う後述する所定の精算処理を実施するようになっている。
【００８６】
このように、精算ボタン２３４の操作により前記シャッタ２４５を開放して打球待機皿２２０に残留している待機球を前記クレジット球スイッチ２８３に移送してクレジット加算を行った後に精算処理を実施するようにすることは、遊技者は前記精算ボタン２３４を操作するのみで、前記打球待機皿２２０に待機している待機球が自動的に前記クレジット球数に加算され、該加算がなされたクレジット球数に基づく精算が実施されるようになるため、これら精算操作を簡素化することができるばかりか、前記打球待機皿２２０に待機している待機球の精算忘れを防止することもできることから好ましいが、本発明はこれに限定されるものではない。
【００８７】
また、本実施例の前記持球制御マイクロコンピュータ２９１ａは、前記球切れセンサ２６３にてパチンコ球が検出されている状況下において、前記遊技制御基板２９６から出力された賞球信号や前記第１操作基板２２９に設けられた球貸ボタン２３１の入力検出、前記自動払戻（球貸）ボタン２３２の設定時における待機球検出センサ２２２におけるパチンコ球の非検出、並びに前記第２操作基板２３７に設けられている上皿払出ボタン２３８と外部払出ボタン２３９の入力検出に基づいて、払出されるパチンコ球の経路指示信号（実際には前記上部経路切替弁２６８並びに下部経路切替弁２７１の方向データ）並びに払出球数の情報を含む払出信号とを前記球払出制御基板２９４に出力し、前記球切払出装置２６５によるパチンコ球の払出を実施させるようになっている。
【００８８】
また、前記持球制御マイクロコンピュータ２９１ａは、前記第１操作基板２２９に設けられた中断ボタン２３５の操作に基づき、前記発射制御基板２９２への発射許可信号の出力を停止して、前記打球操作ハンドル２４０の操作を無効とするとともに、前記クレジット球レジスタに記憶されたクレジット球数を含む中断情報を対応するカードユニット３に対して送信する後述する所定の中断処理を実施するようになっている。
【００８９】
また、前記持球制御マイクロコンピュータ２９１ａは、前記自動払戻（球貸）ボタン２３２並びに中断ボタン２３５の操作による自動払戻（球貸）モード並びに中断モードの設定・非設定の状況に基づいて前記第１操作基板２２９に設けられている自動払戻（球貸）ランプ２３３のや中断中ランプ２３６の点灯制御を実施するとともに、該中断中ランプ２３６が点灯される中断モードにあっては、後述する図１１に示す中断待機ルーチンによる中断待機処理を実施し、前記ガラス扉枠２０１の上部中央位置に設けられた上部表示器２２８に中断時間表示を表示する制御を行うようになっている。
【００９０】
また、持球制御基板２９１には、図４に示すように、前記カードユニット３並びにホールコンピュータ等の外部機器とのデータ通信を行う第１通信部（ＣＯＭ１）２５４と第２通信部（ＣＯＭ２）２５５とが接続されおり、本実施例においては、第２通信部（ＣＯＭ２）２５５を通じてホールコンピュータ１０２と接続されており、該ホールコンピュータ１０２に対し、前記打込球数レジスタや補給球数レジスタ並びに遊技情報レジスタに登録されている打込球数や補給球数や大当り回数や始動回数等の遊技情報が出力されるとともに、前記中断ボタン２３５の操作による中断に際しては、中断中である旨の中断中情報と中断経過時間とが送信されるようになっている。
【００９１】
また、前記第１通信部（ＣＯＭ１）２５４には図４に示すようにカードユニット３が接続されていて、該カードユニット３との間にて、該カードユニット３にて受付けられたプリペイドカードや会員カードより読み出された度数等の情報や該カードのＩＤデータや、前記球貸ボタン２３１の入力等により使用された使用度数データや、クレジット球数データを含む精算情報並びに中断情報等の授受を実施するようになっているとともに、精算時においてプリペイドカードや会員カードがカードユニット３に挿入されていない場合において、その報知を行う報知指示がカードユニット３に対して送信されるようになっている。
【００９２】
ここで、本実施例にて用いたカードユニット３にて簡便に説明する。本実施例のカードユニット３は、図１に示すように、その前面にカードユニット３の稼働並びに点滅により精算時における精算カードの挿入報知を行う動作ランプ３０１や、紙幣を挿入可能とされた紙幣挿入口３０３並びに該紙幣挿入口３０３からの紙幣の返却時に点滅点灯されて紙幣の返却を報知するための紙幣インジケータ３０２と、遊技用記録媒体であるプリペイドカード並びに会員カードが挿入可能とされたカード挿入口３０５並びに該カード挿入口３０５からのカード返却時に点滅点灯されてカードの返却を報知するためのカードインジケータ３０４や、硬貨を投入可能な硬貨投入口３０６並びに投入した硬貨を硬貨返却口３１０に返却させるための硬貨返却ボタン３０７と、前記硬貨返却口３１０並びに該硬貨返却口３１０からの硬貨返却時に点滅点灯されて硬貨の返却を報知する硬貨インジケータ３０９と、が設けられている。
【００９３】
この本実施例のカードユニット３の構成は、図４に示すように、前記動作ランプ３０１、紙幣インジケータ３０２、カードインジケータ３０４、並びに硬貨インジケータ３０９に加えて、前記紙幣挿入口３０３に連設されて該紙幣挿入口３０３より挿入される紙幣の真贋並びに種別を識別するための紙幣識別ユニット３１１や、前記カード挿入口３０５に連設されて該カード挿入口３０５より挿入されるプリペイドカード或いは会員カードを受け付けて、該プリペイドカード或いは会員カードに記録されている記録情報の読み出し並びに書き込みを実施するカードリーダライタ３１２と、前記硬貨投入口３０６に連設されて該硬貨投入口３０６より投入される硬貨の真贋並びに種別を識別するための硬貨識別ユニット３１３とが設けられているとともに、これら各部に接続されてその制御を行う制御マイコン（ＭＰＵ）３１８とが設けられており、該制御マイコン（ＭＰＵ）３１８には、該制御マイコン（ＭＰＵ）３１８が実施する制御プログラムが記録されたＲＯＭ３１４や、該制御マイコン（ＭＰＵ）３１８が各種処理において使用可能なＲＡＭ３１５が接続されている。
【００９４】
また、前記制御マイコン（ＭＰＵ）３１８には、前記パチンコ機２の第１通信部（ＣＯＭ１）２５４とのデータ通信を行う第１通信部３１７と、図８に示すように、各カードユニット３に接続さている管理コンピュータ１００とのデータ通信を行う第２通信部３１６とが接続されており、前記カード挿入口３０５にプリペイドカード或いは会員カードを受け付けた場合においては、前記カードリーダライタ３１２により受け付けたプリペイドカード或いは会員カードの記録情報を読み出し、該記録情報の内、プリペイドカード或いは会員カードに予め個別に付与されているカードＩＤと残度数データを、カードユニット３に予め付与されているユニットＩＤとともに前記管理コンピュータ１００に送信することで、該管理コンピュータ１００にて残度数の照合が実施される。この照合の結果が一致しなかった場合には前記受け付けたカードを返却し、該照合が一致した場合には前記カードＩＤと残度数データとを前記第１通信部３１７を通じて前記パチンコ機２の前記持球制御基板２９１に送信することで、前記ＲＡＭ２９１ｃの所定アドレスにカードＩＤが登録されるとともに、該残度数データが前記度数レジスタに登録されて前記カード残高表示部２２７に表示されることで、該度数を遊技に使用することができるようになっている。
【００９５】
また、前記第２通信部３１６からは、前述のように、前記プリペイドカード或いは会員カードに記録されているカードＩＤや度数データ並びにユニットＩＤ等のデータが送信されて、管理コンピュータ１００にて各カード毎の残度数が管理されるようになっているとともに、後述する精算処理において受付け中のプリペイドカード或いは会員カードに記録されるクレジット球数データも管理コンピュータ１００に送信されて、各カードＩＤに対応付けてクレジット球数データが登録管理されるようになっていて、該管理コンピュータ１００に景品交換用のＰＯＳレジ１０１が接続されていることにより、精算処理にて返却されたプリペイドカード或いは会員カードをＰＯＳレジ１０１に持参することで、前記クレジット球数を景品交換に使用できるようになっている。
【００９６】
この本実施例のカードユニット３には、前述のように貨幣である紙幣並びに硬貨を受付けてその識別を実施できるようになっており、前記カード挿入口３０５にプリペイドカード或いは会員カードを受付けている際に、前記紙幣あるいは硬貨の受け付けがなされた場合に、前記制御マイコン（ＭＰＵ）３１８は、その時点での残度数を前記第１通信部３１７を介してパチンコ機２の前記持球制御基板２９１より入手し、該入手したその時点の残度数に受け付けた貨幣金額が相当する大きさの遊技用有価価値である度数を加算し、該加算後の新たな度数を前記カードリーダライタ３１２により受付け中のプリペイドカード或いは会員カードに記録する。
【００９７】
また、この新たな度数の情報は、カードユニット３に予め付与されているユニットＩＤ並びに前記受付け中のプリペイドカード或いは会員カードのカードＩＤとともに、前記第２通信部３１６を通じて管理コンピュータ１００へ送信されて該当するカードＩＤの残度数データが更新され、該新たな度数の情報が前記第１通信部３１７を介して前記持球制御基板２９１に送信され、該持球制御基板２９１のＲＡＭ２９１ｃ内に設けられている前記度数レジスタの残度数が更新され、該新たな度数が前記カード残高表示部２２７に表示され、これら新たな度数を遊技に使用できるようになっている。
【００９８】
以下、本実施例の前記持球制御マイクロコンピュータ２９１ａの処理動作を図９のフロー図に基づいて説明する。
【００９９】
まず、前記持球制御マイクロコンピュータ２９１ａは、前記球貸ボタン２３１の操作に基づく信号入力があるかの判定を実施して（Ｓａ１）、該判定結果が合致した場合にはＳａ２へ進んで、前記カード残高表示部２２７に残度数がある場合において該球貸操作に該当する数のパチンコ球の払出、例えば球貸操作にて５度数の払出を実施する場合においては、１度数につき２５発の払出指示を含む払出信号並びに排出されたパチンコ球の経路が、前記図６（ｃ）に示すように第２経路２６７となるような経路指示信号とを球払出制御基板２９４に出力し、払い出した２５個のパチンコ球が前記払出球検出スイッチ２８１にて検出された場合に、前記カード残高表示部２２７の残度数から１を減算更新する処理を、合計５回実施することで５度数に相当する１２５個のパチンコ球が前記第２経路２６７を通じて球流入口２４３より前記打球待機皿２２０へ排出され、これら球貸操作に基づく球の払出を終えて前記Ｓａ１に再度戻る。
【０１００】
また、前記Ｓａ１における判定結果が合致しなかった場合にはＳａ３へ進んで、前記遊技制御基板２９６から入賞に基づく賞球信号が出力されているかの判定を実施し、該判定が合致した場合にはＳａ４へ進んで前記遊技制御基板２９６から出力された賞球信号に基づく球数の払出指示を含む払出信号並びに排出されたパチンコ球の経路が前記図６（ｃ）に示すように第２経路２６７となるような経路指示信号とを球払出制御基板２９４に出力することで、入賞に基づく賞球が前記第２経路２６７を通じて球流入口２４３より前記打球待機皿２２０へ排出されるか、或いは該打球待機皿２２０の皿部２２１に待機球が満杯である場合は前記クレジット球通路２７５を流下して前記クレジット球スイッチ２８３により検出され、これら賞球信号に基づく球数の払い出しを終えて前記Ｓａ１に再度戻る。
【０１０１】
また、前記Ｓａ３における判定結果が合致しなかった場合にはＳａ５へ進むことで、前記クレジット球スイッチ２８３によるパチンコ球の検出があるかの判定を実施し、前記Ｓａ４にて払い出された賞球の内、前記クレジット球通路２７５を流下して前記クレジット球スイッチ２８３により検出されたパチンコ球は、該Ｓａ５にて検出される。このＳａ５におけるパチンコ球の検出があった場合には、Ｓａ６へ進み、該検出に基づいて前記クレジット球数レジスタのクレジット球数への加算更新を実施した後、前記Ｓａ１に再度戻る。
【０１０２】
また、前記Ｓａ５における判定結果が合致しなかった場合にはＳａ７へ進むことで、前記上皿払出ボタン２３８の操作に基づく信号入力があるかの判定を実施し、該判定が合致した場合にはＳａ８へ進む。該Ｓａ８では、前記クレジット表示部２２３並びに上部表示器２２８に表示されている前記クレジット球数レジスタのクレジット球数が存在するかの判定を実施し、該判定結果が合致しない場合、つまりはクレジット球数が「０」の場合においては前記Ｓａ１に再度戻り、判定結果が合致する場合においてはＳａ９へ進んで前記球払出制御基板２９４に払い出すパチンコ球の経路が図６（ｂ）に示すように第１経路２６６から第２経路２６７へ変更されるように経路指示信号を出力して経路の切替を実施させた後、該球払出制御基板２９４に予め定められた所定数（本実施例では貸し出しと同様の１２５球）のパチンコ球の払い出しを指示する払出信号を出力してパチンコ球の払い出しを実施させる（Ｓａ１０）。
【０１０３】
該払出信号を出力に基づき、球払出制御基板２９４は前記球払出装置２６５内の駆動モータ４５０を駆動して前記スプロケット４５２を適宜に回転させて前記所定数のパチンコ球の排出を実施し、該排出されたパチンコ球は第１経路２６６に設けられている前記減算スイッチ２７０により検出され、該減算スイッチ２７０による排出球の検出の監視が実施される（Ｓａ１１）。
【０１０４】
該Ｓａ１１におけるパチンコ球の検出があった場合には、Ｓａ１２へ進み、該検出に基づいて前記クレジット球数レジスタのクレジット球数の減算更新を実施した後、前記Ｓａ１１に戻り、パチンコ球の検出がある毎にクレジット球数の減算更新を繰返し実施していき、所定時間に渡って前記減算スイッチ２７０におけるパチンコ球の検出が無かった場合においてＳａ１３へ進み、前記Ｓａ９にて変更された経路をデフォルト状態に復帰した後、前記Ｓａ１に再度戻る。
【０１０５】
また、前記Ｓａ７における判定結果が合致しなかった場合にはＳａ１４へ進むことで、前記外部払出ボタン２３９の操作に基づく信号入力があるかの判定を実施し、該判定が合致した場合にはＳａ１５へ進む。該Ｓａ１５では、前記クレジット表示部２２３並びに上部表示器２２８に表示されている前記クレジット球数レジスタのクレジット球数が存在するかの判定を実施し、該判定結果が合致しない場合、つまりはクレジット球数が「０」の場合においては、Ｓａ４２へ進み、前記ソレノイド２４５’を励磁して前記シャッタ２４５を開くことで、前記打球待機皿２２０の皿部２２１内に待機しているパチンコ球が前記待機球排出口２４４より待機球排出通路２７７を通じてクレジット球スイッチ２８３に流下する。
【０１０６】
これらクレジット球スイッチ２８３への流下による待機球の検出は、Ｓａ４３の監視ステップにて検知され、該Ｓａ４３にてパチンコ球の検出があった場合には、Ｓａ４４へ進み、該検出に基づいて前記クレジット球数レジスタのクレジット球数への加算更新を実施した後、再び前記Ｓａ４３に戻り、パチンコ球の検出がある毎にクレジット球数の加算更新を繰返し実施していき、所定時間（本実施例では３秒）に渡って前記クレジット球スイッチ２８３におけるパチンコ球の検出が無かった場合において前記ソレノイド２４５’の励磁を解除して前記シャッタ２４５を閉じ（Ｓａ４５）、前記Ｓａ１に再度戻る。このようにすることで、遊技者が前記外部払出ボタン２３９の操作をクレジット球が無くなっても操作継続することで、前記打球待機皿２２０に残存する待機球をももれなく取り出すことができるようになっている。
【０１０７】
また、前記Ｓａ１５における判定結果が合致する場合においてはＳａ１６へ進んで前記取出準備検出センサ２５０の監視を開始するとともに、割り込み処理ルーチンによる割り込みを有効に設定し、Ｓａ１７へ進む。
【０１０８】
この割り込み処理ルーチンは、図９に示すように、前記取出準備検出センサ２５０により貯留箱２５１や手等が非検出（「ＯＦＦ」）であるかの判定を実施するＷ−１ステップと、該Ｗ−１ステップにて取出準備検出センサ２５０の非検出（「ＯＦＦ」）が確認された場合において前記外部払出ボタン２３９の操作を無効とするとともに、クレジット球数の払い出しを中止するＷ−２ステップとで構成されており、前記Ｗ−１ステップにおける判定が合致しない場合には再度Ｗ−１ステップに戻ることで前記取出準備検出センサ２５０における貯留箱２５１や手等の非検出（「ＯＦＦ」）を監視するようになっており、これら非検出（「ＯＦＦ」）により前記Ｗ−２ステップを実行することで、貯留箱２５１や手等が外部取出口２４９下部位置にない状態にてクレジット球の払い出しが実施され続けてしまうことを防止するようになっていて、該Ｗ−２ステップの実行後において前記Ｓａ１に戻るようになっている。
【０１０９】
前記Ｓａ１７においては、払い出すパチンコ球の経路が図６（ａ）に示すように前記外部取出口２４９に繋がる第１経路２６６となるように前記球払出制御基板２９４に経路指示信号を出力して経路の切替を実施させた後、該球払出制御基板２９４にパチンコ球の払い出しを継続実施させるための払出信号を出力してパチンコ球の払い出しを継続実施させるとともに（Ｓａ１８）、前記外部払出ボタン２３９の操作が（「ＯＦＦ」）となっているかの判定を実施し（Ｓａ１９）、該判定が合致した場合にはＳａ１９+へ進んで前記払出信号の出力を中止してパチンコ球の払い出しを停止させてＳａ２０へ進み、前記球払出制御基板２９４より排出されて前記減算スイッチ２７０により検出される排出球の監視を行う。
【０１１０】
前記払出信号の出力に基づき、球払出制御基板２９４は前記球払出装置２６５内の駆動モータ４５０を継続的に駆動して前記スプロケット４５２を回転させてパチンコ球の排出を継続実施していき、該排出されたパチンコ球は第１経路２６６に設けられている前記減算スイッチ２７０により検出されていく。
【０１１１】
該Ｓａ２０におけるパチンコ球（排出球）の検出があった場合には、Ｓａ２１へ進み、該検出に基づいて前記クレジット球数レジスタのクレジット球数の減算更新を実施した後、前記Ｓａ１９に戻り、外部払出ボタン２３９の操作が（「ＯＦＦ」）となっているかの監視並びに前記減算スイッチ２７０における検出があるかの監視を実施して、前記パチンコ球（排出球）の検出がある毎にクレジット球数の減算更新を繰返し実施していき、前記外部払出ボタン２３９の操作が（「ＯＦＦ」）となってパチンコ球（排出球）の排出が停止され、所定時間に渡って前記減算スイッチ２７０におけるパチンコ球の検出が無かった場合においてはＳａ２２に進んで、前記Ｓａ１６にて開始した取出準備検出センサ２５０の監視を終了するとともに、前記割り込み処理ルーチンによる割り込みを無効とするとともに、前記Ｓａ１７において変更した経路の復帰を実施した後（Ｓａ２３）、前記Ｓａ１に再度戻る。
【０１１２】
また、前記Ｓａ１４における判定結果が合致しなかった場合にはＳａ２４へ進むことで、前記精算ボタン２３４の操作に基づく信号入力があるかの判定を実施し、該判定が合致した場合にはＳａ２５へ進む。該Ｓａ２５では、前記ソレノイド２４５’を励磁して前記シャッタ２４５を開くことで、前記打球待機皿２２０の皿部２２１内に待機しているパチンコ球が前記待機球排出口２４４より待機球排出通路２７７を通じてクレジット球スイッチ２８３に流下する。
【０１１３】
これらクレジット球スイッチ２８３への流下による待機球の検出は、Ｓａ２６の監視ステップにて検知され、該Ｓａ２６にてパチンコ球の検出があった場合には、Ｓａ３１へ進み、該検出に基づいて前記クレジット球数レジスタのクレジット球数への加算更新を実施した後、再び前記Ｓａ２６に戻り、パチンコ球の検出がある毎にクレジット球数の加算更新を繰返し実施していき、所定時間（本実施例では３秒）に渡って前記クレジット球スイッチ２８３におけるパチンコ球の検出が無かった場合において前記ソレノイド２４５’の励磁を解除して前記シャッタ２４５を閉じ（Ｓａ２７）、該加算後の前記クレジット球数レジスタのクレジット球数並びに精算の旨を示す所定情報とを含む精算情報を前記カードユニット３に送信する（Ｓａ２８）。
【０１１４】
この精算情報の送信に基づき前記カードユニット３は、該精算情報に含まれている前記クレジット球数をその時点にて受け付けているプリペイドカード或いは会員カードに、前記カードリーダライタ３１２を通じて記録した後、該カードを返却するとともに、これら受け付けているプリペイドカード或いは会員カードのカードＩＤと前記記録したクレジット球数のデータを前記管理コンピュータ１００に対して送信するようになっており、該管理コンピュータ１００においてこれら送信されたデータが対応付けて登録、管理される。
【０１１５】
前記Ｓａ２８における送信後にＳａ２９へ進み、該Ｓａ２９において前記精算情報の受信が良好になされた場合にカードユニット３からの返信される受信完了データの受信待ちを実施する。この受信完了データの返信が所定時間内においてない場合には、前記Ｓａ２８に戻って再度前記精算情報を前記カードユニット３に送信し、所定時間内において受信完了データの返信があった場合においては、Ｓａ３０へ進んで前記クレジット球数レジスタのクレジット球数をリセットした後、前記Ｓａ１に再度戻る。
【０１１６】
尚、前記Ｓａ２８における精算情報のカードユニット３への送信に際しては、該カードユニット３にプリペイドカード或いは会員カードが受け付けられていることを、例えば前記ＲＡＭ２９１ｃにカードＩＤの登録があるか否かを確認すること等で実施し、該確認にてカードが受け付けられていない場合には、カードユニット３に対して精算カードの挿入の報知を行うための所定データを送信し、該カードユニット３の前記動作ランプ３０１を点滅点灯させることで、係員により精算専用のカードをカードユニット３の前記カード挿入口３０５に挿入させるようにしても良い。
【０１１７】
また、前記Ｓａ２４における判定結果が合致しなかった場合にはＳａ３２へ進むことで、前記中断ボタン２３５の操作に基づく信号入力があるかの判定を実施し、該判定が合致した場合にはＳａ３３へ進む。該Ｓａ３３では、前記クレジット表示部２２３並びに上部表示器２２８に表示されている前記クレジット球数レジスタにクレジット球数が存在するかの判定を実施し、該判定結果が合致しない場合、つまりはクレジット球数が「０」の場合においてはＳａ３７に進み、判定結果が合致する場合においてはＳａ３４へ進む。
【０１１８】
該Ｓａ３４においては、その時点における前記クレジット球数レジスタのクレジット球数並びに中断の旨を示す所定情報とを含む中断情報を前記カードユニット３に送信する。該Ｓａ３４における中断情報の送信後にＳａ３５へ進み、該Ｓａ３５において前記中断情報の受信が良好になされた場合にカードユニット３からの返信される受信完了データの受信待ちを実施し、所定時間内において受信完了データの返信がない場合には、前記Ｓａ３４に戻って再度前記中断情報を前記カードユニット３に送信し、所定時間内において受信完了データの返信があった場合においては、Ｓａ３６へ進んで前記中断中ランプ２３６を点灯するとともに前記上部表示器２２８に中断中を示す所定表示（本実施例では全ての桁に「Ｈ」を表示）を実施するとともに、前記第２通信部（ＣＯＭ２）２５５から管理コンピュータ１００に対し前記中断情報と予めパチンコ機２に付与されている台番号とを送信した後、図１１に示す中断待機ルーチンへ進む。
【０１１９】
また、前記Ｓａ３２における判定結果が合致しなかった場合にはＳａ３７へ進むことで、前記自動払戻（球貸）ボタン２３２の操作に基づく信号入力があるかの判定を実施し、該判定が合致しない場合、つまりは自動払戻（球貸）ボタン２３２の操作がない場合には直接Ｓａ３９へ進み、該判定が合致した場合、つまりは自動払戻（球貸）ボタン２３２の操作があった場合にはＳａ３８へ進み、自動払戻（球貸）の設定を変更して該設定状況に応じて前記自動払戻（球貸）ランプ２３３点灯或いは消灯を実施した後にＳａ３９へ進む。
【０１２０】
該Ｓａ３９では、自動払戻（球貸）の設定が「ＯＮ」であるかの判定を実施し、該判定結果が合致しなかった場合、つまりは自動払戻（球貸）の設定が「ＯＦＦ」である場合には前記Ｓａ１に戻り、判定結果が合致した場合、つまりは自動払戻（球貸）の設定が「ＯＮ」である場合には、Ｓａ４０へ進んで前記待機球検出センサ２２２による待機球の検出が非検出（「ＯＦＦ」）であるかの判定を実施し、該判定結果が合致しなかった場合は前記Ｓａ１に戻り、判定結果が合致した場合においてはＳａ４１に進んで、前記球払出制御基板２９４に予め定められた所定数（本実施例では１２５球）のパチンコ球の前記球流入口２４３への払い出しを指示する払出信号並びに経路指示信号を出力してパチンコ球の払い出しを実施させ、該払い出した球数を前記クレジット球数レジスタのクレジット球数が残存する場合にはクレジット球数から、クレジット球数が残存しない場合には払い出し球数に該当する所定度数（本実施例では５度数）を前記度数レジスタの残度数から減算した後、前記Ｓａ１に戻る。
【０１２１】
このように、通常において前記Ｓａ１→Ｓａ３→Ｓａ５→Ｓａ７→Ｓａ１４→Ｓａ２４→Ｓａ３２→Ｓａ３７→Ｓａ１のように各判定が高速に順次実施されることで、各種スイッチやボタンの検出や操作を遅滞なく検知し、その検知された検出や操作に該当する処理が実施されるようになっている。
【０１２２】
次いで、図１１に示す中断待機ルーチンについて説明すると、前記Ｓａ３６の終了とともに、持球制御マイクロコンピュータ２９１ａは、その内部に設けられている内部タイマによるタイムカウントをスタートさせ（Ｓｃ１）、Ｓｃ２へ進んで対応する前記カードユニット３にカード挿入があるかの監視を行う。
【０１２３】
該カード挿入の判定における判定結果が合致しなかった場合、つまりはカード挿入がなかった場合は、Ｓｃ８へ進んで前記タイムカウントされた時間である経過時間が予め設定されている中断時間を越えているかの判定を実施し、該判定結果が合致しなかった場合、つまりはまだ中断時間を越えていない場合には、Ｓｃ１０へ進んで前記タイムカウントされた時間である経過時間を前記上部表示部２２８に更新表示した後、前記Ｓｃ２へ戻り、前記Ｓｃ８における判定結果が合致した場合、つまりは既に中断時間を越えている場合には、Ｓｃ９へ進んで既に中断時間を越えていることを示す所定表示（本実施例では全桁「Ｅ」表示）を前記上部表示部２２８で実施した後、前記Ｓｃ２へ戻る。
【０１２４】
また、前記Ｓｃ２における判定結果が合致した場合には、Ｓｃ３へ進んで挿入されたカードから読み出されたクレジット球数を含む中断情報並びにカードＩＤとをカードユニット３から入手し、前記ＲＡＭ２９１ｃに記憶されている中断情報並びにカードＩＤと比較してＳｃ４へ進む。
【０１２５】
該比較結果が不一致の場合にはＳｃ７へ進み、挿入されたカードの返却指示を対応するカードユニット３へ送信した後、前記Ｓｃ２へ戻り、比較結果が一致の場合にはＳｃ５へ進んで前記タイムカウントを中止するとともに、前記中断中ランプ２３６を消灯し、前記第２通信部（ＣＯＭ２）２５５から管理コンピュータ１００に対し中断解除情報と台番号とを送信した後、前記にて入手した中断情報に含まれているクレジット球数（＝ＲＡＭ２９１ｃのクレジット球数レジスタに記憶されているクレジット球数）を前記クレジット表示部２２３並びに上部表示器２２８に表示し、前記図９に示すＳａ１に戻って再度通常の処理を実施する。
【０１２６】
以下、遊技者が本実施例のパチンコ機２にて遊技を行う場合の流れについて説明すると、まず遊技者は遊技場の所定箇所に設けられたプリペイドカード発行機（図示略）にて購入したプリペイドカード、或いは予め遊技場から発行された会員カードを前記カード挿入口３０５に挿入する。
【０１２７】
このカード挿入により、該挿入したカードの残度数が前述のようにして対応するパチンコ機２の前記カード残高表示部２２７に表示される。遊技者は該カード残高表示部２２７に度数が残存することを確認した後、前記球貸ボタン２３１或いは前記自動払戻（球貸）ボタン２３２を押圧操作する。
【０１２８】
該操作は、前記図９によるフロー図に示すように、前記持球制御マイクロコンピュータ２９１ａにて検知され、前記球貸ボタン２３１が操作された場合には、前述のように球切払出装置２６５から５度数に相当する所定数のパチンコ球（１２５個）が前記打球待機皿２２０の皿部２２１へ排出、供給されることで遊技者は前記打球操作ハンドル２４０を操作して待機球を前記遊技領域２０３へ打ち込んで遊技を実施する。
【０１２９】
また、前記自動払戻（球貸）ボタン２３２が操作された場合には、前述のように自動払戻（球貸）設定が「ＯＮ」に設定され、最初は待機球検出センサ２２２による待機球の検出が非検出（「ＯＦＦ」）であることから前記球貸ボタン２３１が操作された場合と同様に所定数である１２５個のパチンコ球が打球待機皿２２０の皿部２２１へ排出、供給されて、遊技者は遊技を行うことができるとともに、遊技により待機球が減少して前記待機球検出センサ２２２による待機球の検出が再度非検出（「ＯＦＦ」）になった場合には、自動的に前述と同様に１２５個のパチンコ球が度数或いはクレジット球数が前記クレジット表示部２２３に存在する場合においては該クレジット球数より払い出されるようになっていて、クレジット球数からの払い出しがプリペイド度数からの払い出しよりも優先されるようになっている。尚、クレジット表示部２２３に存在するクレジット球数が１２５個に満たない場合には、該クレジット球数の全数が払い出される。
【０１３０】
これら遊技により入賞或いは大当りが生じた場合には、該入賞に該当する賞球が前記球切払出装置２６５から球流入口２４３を通じて打球待機皿２２０に払い出され、該球流入口２４３より皿部２２１内に流入できなかったパチンコ球は、前記クレジット球流路２７５を流下してクレジット球スイッチ２８３により検出され、前記クレジット表示部２２３に存在するクレジット球数に加算されていく。
【０１３１】
遊技により前記打球待機皿２２０の待機球が減少して、前記クレジット球数を打球待機皿２２０に払い戻しさせたい場合には、遊技者は前記上皿払出ボタン２３８を押圧操作することで、前記図９のフロー図に示すように、該操作が前記持球制御マイクロコンピュータ２９１ａにて検知され、前述のＳａ８〜Ｓａ１３の処理が実施されて、所定数のパチンコ球の払い戻しを任意に受けることができる。
【０１３２】
また、前記クレジット球数をパチンコ機２の下部中央位置に設けられている前記外部取出口２４９よりパチンコ機２の外部に取り出したい場合には、予め貯留箱２５１或いは手等を前記外部取出口２４９の下方位置に配置した後、前記外部払出ボタン２３９を押圧操作することで、前記図９のフロー図に示すように、該操作が前記持球制御マイクロコンピュータ２９１ａにて検知され、前述のＳａ１５〜Ｓａ２３並びにＳａ４２〜Ｓａ４５の処理が実施されて、前記クレジット球数が残存する場合には該外部払出ボタン２３９が押圧されている間においてクレジット球数からの払い戻しが実施され、遊技者は外部取出口２４９よりパチンコ球の払い戻しを受けることができ、これら全てのクレジット球数の払い出しが実施されて前記クレジット球数が残存しない状態になっても前記外部払出ボタン２３９を押圧操作し続けることで、前記シャッタ２４５が開いて打球待機皿２２０に残留している待機球がクレジット加算されるとともに該加算されたクレジット球数が前記外部取出口２４９より排出される。
【０１３３】
これら一度パチンコ機外部に払い出されたパチンコ球を再度遊技に使用したい場合には、これら外部排出されたパチンコ球を前記打球待機皿２２０の皿部２２１上面を覆う開閉蓋２２５を開けて投入することで、遊技に使用することができる。
【０１３４】
また、遊技者が所用にて遊技を中断したい場合には、前記中断ボタン２３５を押圧操作することで、前記図９のフロー図に示すように、該操作が前記持球制御マイクロコンピュータ２９１ａにて検知されて前述のＳａ３３〜Ｓａ３６の処理が実施され、前記カードユニット３に挿入中のプリペイドカード或いは会員カードにその時点のクレジット球数が記録されて返却される。更に、前記打球操作ハンドル２４０の操作が無効化され、第三者が前記打球待機皿に残存する待機球を用いて遊技を実施できないようにされるとともに、前記中断中ランプ２３６が点灯されるとともに、前記上部表示器２２８には中断の経過時間が表示される。
【０１３５】
この中断を解除するには、遊技者は返却されたプリペイドカード或いは会員カードを前記カードユニット３のカード挿入口３０５に再度挿入することで、該カードのカードＩＤとクレジット球数とが照合された後、前述のように打球操作ハンドル２４０が有効化されて該クレジット球数や度数を用いた遊技を実施できるようになる。
【０１３６】
また、遊技者が遊技を終了したい場合においては、前記精算ボタン２３４を押圧操作することで、前記図９のフロー図に示すように、該操作が前記持球制御マイクロコンピュータ２９１ａにて検知されて前述のＳａ２５〜Ｓａ３０の処理、つまりは、前記打球待機皿２２０に残留している待機球が前記クレジット球スイッチ２８３に送られてクレジット加算された後、該待機球が加算されたクレジット球数が前記カードユニット３に送信されて挿入中のプリペイドカード或いは会員カードに書き込まれて返却される。
【０１３７】
遊技者は、該返却されたプリペイドカード或いは会員カードを前記ＰＯＳレジ１０１が設置されている景品交換カウンタに持参して、所望の景品との交換に前記クレジット球数を使用することができる。
【０１３８】
（実施例２）
図１２は、本実施例２の遊技機であるパチンコ機２’を示す外観正面図であり、図１３は、本実施例２のパチンコ機の打球待機部２２０’を示す上面図であり、図１４は、本実施例２にて用いた精算カード並びに中断カード発行用のカードリーダライタ２２４を示す図であり、図１５は、本実施例２のパチンコ機２’の構成を示すブロック図である。
【０１３９】
まず、本実施例のパチンコ２’は、前記実施例１のパチンコ機２とほぼ同様の構成とされているが、大きく異なる点としては、図１２並びに図１３に示すように、前記実施例１においては打球待機皿２２０の上面に開閉可能に開閉蓋２２５が設けられていたのに対し、本実施例２のパチンコ機２’の前面に設けられている打球待機部２２０’の上面は、開閉不能に塞がれた状態とされており、該打球待機部２２０’からのパチンコ球の投入はできないようになっている。
【０１４０】
また、該打球待機部２２０’の下部位置には、その内部に前記精算カード並びに中断カード発行用のカードリーダライタ２２４が内蔵可能なリーダライタ収容部２１９が設けられており、その側面には、パチンコ機２’の前面と平行方向に精算カード或いは中断カードの挿抜が可能なカード発行口２１８が設けられており、前記実施例１では、精算情報並びに中断情報をカードユニット３に送信して前記プリペイドカード並びに会員カードに記録していたのに対し、本実施例２では、精算情報或いは中断情報を前記カードリーダライタ２２４にて発行するカードに記録し、該精算情報或いは中断情報が記録されたカードを精算カード或いは中断カードとして前記カード発行口２１８より発行するようになっており、それ以外の構成は前記実施例１のパチンコ機２と同一とされている。
【０１４１】
この本実施例にて使用した前記カードリーダライタ２２４は、図１４に示すような外観を有しており、主に本体部８９とカバー部９０とから構成され、これら本体部８９とカバー部９０との間に搬送路９２が形成され、該搬送路９２に臨むように、駆動モータ９６からの駆動力を伝達するタイミングベルト９８および駆動ギア９９により駆動される搬送ローラ８７および回転自在とされたフリーローラ８８や、前記精算カード或いは中断カードとして発行されるリライトカード３７の挿入、配置、排出等の制御を実施するためのリライトカード３７の検出を実施する発光部９７ａおよび受光部９７ｂから成るセンサや、リライトカード３７のメモリに非接触でデータの記録を行う通信ヘッド９１や、リライトカード３７に設けられた表示部としての印字部への印字および消去を発熱により実施するサーマルヘッド９４や、該サーマルヘッド９４とでＩＣカード３７を挟持するように配置されたプラテンローラ９３が設けられて、発行されるリライトカード３７への情報の記録並びに挿入される中断カードの記録情報の読み取りを実施可能とされているとともに、リライトカード３７に設けられた印字部への印字、消去が実施可能とされており、前記搬送路９２が前記カード発行口２１８に連通するように前記リーダライタ収容部２１９内に配置されている。
【０１４２】
また、本実施例のカードリーダライタ２２４の前記搬送路９２の終端側位置には、精算カード或いは中断カードとして発行するリライトカード３７を貯留可能な貯留ボックス８０が設けられており、該貯留ボックス８０を交換することでリライトカード３７の補充を簡便に実施できるようになっており、この貯留ボックス８０に対応する前記リーダライタ収容部２１９の側面該当部分には、これら貯留ボックス８０の交換を実施し易くするために着脱可能とされたカバー部２１９’が設けられている。尚、このカバー部２１９’は通常において遊技者に開けられないように施錠されており、カード補充時に店員により解錠されることで開けることが可能となる。
【０１４３】
このカードリーダライタ２２４は、図１５に示すように、前記持球制御基板２９１に接続されていて、該持球制御基板２９１に実装されている前記持球制御マイクロコンピュータ２９１ａにより、その動作が制御されるようになっている。
【０１４４】
また、本実施例のパチンコ機２’は、図１６に示すように、前記カードユニット３とともに前記管理コンピュータ１００に接続されていて、前記リライトカード３７に記録される精算情報や中断情報が、該発行されるリライトカード３７に予め付与記録されているカードＩＤ並びにパチンコ機２’に付与された台番号とともに前記管理コンピュータ１００に、前記第２通信部（ＣＯＭ２）２５５を通じて送信することで、前記クレジット球数データを含む精算情報や中断情報が前記カードＩＤに対応付けて登録、管理され、遊技者が該発行された精算カードを前記ＰＯＳレジ１０１に持参することで、前記実施例１と同様に前記クレジット球数を景品交換に使用できるようになっている。
【０１４５】
前記持球制御マイクロコンピュータ２９１ａによる該カードリーダライタ２２４の動作制御に関して、図１７のフロー図に基づき説明すると、その制御内容としては前記実施例１の場合と同様に、通常において前記Ｓａ１→Ｓａ３→Ｓａ５→Ｓａ７→Ｓａ１４→Ｓａ２４→Ｓａ３２→Ｓａ３７→Ｓａ１のように各判定を高速に順次実施して、各種スイッチやボタンの検出や操作を遅滞なく検知し、その検知された検出や操作に該当する処理を実施する。
【０１４６】
前記Ｓａ２４において精算ボタン２３１の操作検出がなされた場合には図１７のＳａ２５へ進む。該Ｓａ２５では、前記ソレノイド２４５’を励磁して前記シャッタ２４５を開くことで、前記打球待機皿２２０の皿部２２１内に待機しているパチンコ球が前記待機球排出口２４４より待機球排出通路２７７を通じてクレジット球スイッチ２８３に流下し、Ｓａ２６の監視ステップにて検出されて前記クレジット球数レジスタのクレジット球数への加算更新が実施される（Ｓａ３１）。これらクレジット球数レジスタのクレジット球数への加算更新は、パチンコ球の検出がある毎に繰返し実施され、所定時間（本実施例では３秒）に渡って前記クレジット球スイッチ２８３におけるパチンコ球の検出が無かった場合において前記ソレノイド２４５’の励磁を解除して前記シャッタ２４５を閉じる（Ｓａ２７）。
【０１４７】
次いで、前記カードリーダライタ２２４に指示して、前記貯留ボックス８０から発行するリライトカード３７を前記搬送路９２に取り出させて該リライトカード３７に記録されているカードＩＤをカードリーダライタ２２４より入手し、該入手したカードＩＤを前記ＲＡＭ２９１ｃに記憶するとともに、前記待機球がクレジット加算されたクレジット球数をカードリーダライタ２２４に出力して前記カードＩＤを読み出したリライトカード３７のメモリおよび印字部に記録させた後、前記カード発行口２１８より精算カードとして排出させて発行する（Ｓａ２８）。
【０１４８】
該Ｓａ２８の終了後にＳａ２９へ進み、前記ＲＡＭ２９１ｃに記憶しているカードＩＤ並びに前記クレジット球数とともに該パチンコ機２’の台番号とを前記管理コンピュータ１００へ送信した後、Ｓａ３０へ進んで前記クレジット球数レジスタのクレジット球数をリセットした後、前記Ｓａ１に再度戻る。尚、前記管理コンピュータ１００においては、前記送信されたデータが対応付けて登録、管理される。
【０１４９】
また、前記Ｓａ３２において中断ボタン２３１の操作検出がなされた場合には図１７のＳａ３３へ進む。該Ｓａ３３では、前記クレジット表示部２２３並びに上部表示器２２８に表示されているクレジット球数が存在するかの判定を実施し、該判定結果が合致しない場合、つまりはクレジット球数が「０」の場合においてはＳａ３７に進み、判定結果が合致する場合においてはＳａ３４へ進む。
【０１５０】
該図１７のＳａ３４において、前記持球制御マイクロコンピュータ２９１ａは、前記カードリーダライタ２２４に指示して、前記貯留ボックス８０から発行するリライトカード３７を前記搬送路９２に取り出させて該リライトカード３７に記録されているカードＩＤをカードリーダライタ２２４より入手し、該入手したカードＩＤとクレジット球数とを前記ＲＡＭ２９１ｃの所定アドレスに中断情報として登録するとともに、該クレジット球数をカードリーダライタ２２４に出力して前記カードＩＤを読み出したリライトカード３７に記録させた後、前記カード発行口２１８より中断カードとして排出させて発行する（Ｓａ３４）。
【０１５１】
該Ｓａ３４の終了後にＳａ３５へ進み、前記ＲＡＭ２９１ｃに記憶しているカードＩＤとクレジット球数から成る中断情報とともに、該パチンコ機２’の台番号とを前記管理コンピュータ１００へ送信した後、Ｓａ３６へ進んで前記中断中ランプ２３６を点灯するとともに前記上部表示器２２８に中断中を示す所定表示（本実施例では全ての桁に「Ｈ」を表示）を実施して前記図１８に示す中断待機ルーチンへ進むようになっている。
【０１５２】
次いで、図１８に示す中断待機ルーチンについて説明すると、前記図１７のＳａ３６の終了とともに、持球制御マイクロコンピュータ２９１ａは、その内部に設けられている内部タイマによるタイムカウントをスタートさせ（Ｓｃ１）、Ｓｃ２へ進んで前記カードリーダライタ２２４へのカード挿入があるかを監視する。
【０１５３】
該カード挿入の判定における判定結果が合致しなかった場合、つまりはカード挿入がなかった場合は、Ｓｃ８へ進んで前記タイムカウントされた時間である経過時間が予め設定されている中断時間を越えているかの判定を実施し、該判定結果が合致しなかった場合、つまりはまだ中断時間を越えていない場合には、Ｓｃ１０へ進んで前記タイムカウントされた時間である経過時間を前記上部表示部２２８に更新表示した後、前記Ｓｃ２へ戻り、前記Ｓｃ８における判定結果が合致した場合、つまりは既に中断時間を越えている場合には、Ｓｃ９へ進んで既に中断時間を越えていることを示す所定表示（本実施例では全桁「Ｅ」表示）を実施した後、前記Ｓｃ２へ戻る。
【０１５４】
また、前記Ｓｃ２における判定結果が合致した場合、つまりは前記カードリーダライタ２２４へのカード挿入があった場合には、Ｓｃ３へ進んで挿入されたカードに記録されている前記カードＩＤ並びにクレジット球数から成る中断情報を挿入カードから読み出させてカードリーダライタ２２４より入手し、前記ＲＡＭ２９１ｃに記憶されている中断情報と比較してＳｃ４へ進む。
【０１５５】
該比較結果が不一致の場合にはＳｃ７へ進み、挿入されたカードの返却指示を前記カードリーダライタ２２４に出力してカード返却を実施した後、前記Ｓｃ２へ戻り、比較結果が一致の場合にはＳｃ５へ進んで前記タイムカウントを中止するとともに、前記中断中ランプ２３６を消灯し、前記第２通信部（ＣＯＭ２）２５５から管理コンピュータ１００に対し中断解除情報と台番号とを送信した後、前記にて入手した中断情報に含まれているクレジット球数（＝ＲＡＭ２９１ｃに記憶されているクレジット球数）を前記クレジット表示部２２３並びに上部表示器２２８に表示した後、前記図１７に示すＳａ１に戻って再度通常の処理を実施する。
【０１５６】
前記実施例における各要素は、本発明に対して以下のように対応している。
【０１５７】
本発明の請求項１は、所定の払出条件の成立に基づいて遊技媒体（パチンコ球）を払出する遊技媒体払出部（球切払出装置２６５）と、該遊技媒体払出部から払出された遊技媒体が待機する遊技媒体待機部（打球待機皿２２０）と、を備え、該遊技媒体待機部に待機する遊技媒体を使用して遊技を行う遊技機（パチンコ機２）であって、前記遊技媒体待機部（打球待機皿２２０）から溢れ出た遊技媒体および前記遊技媒体待機部（打球待機皿２２０）が待機中の遊技媒体にて満杯状態である場合において前記遊技媒体払出部（球切払出装置２６５）から払出された遊技媒体が通過する溢れ遊技媒体通路（クレジット球流路２７５）と、該溢れ遊技媒体通路を通過する遊技媒体を検出する溢れ遊技媒体検出手段（クレジット球スイッチ２８３）と、該溢れ遊技媒体検出手段における遊技媒体の検出に基づき、該検出された遊技媒体数を遊技に使用可能な遊技媒体数（クレジット球数）として加算更新する加算更新手段（持点制御マイクロコンピュータ２９１ａ）と、該加算更新手段により加算された遊技媒体数を記憶する記憶部（ＲＡＭ２９１ｃ）と、該記憶部に記憶されている遊技媒体数（クレジット球数）を表示する遊技媒体数表示部（クレジット表示部２２３、上部表示部２２８）と、少なくとも前記溢れ遊技媒体検出手段（クレジット球スイッチ２８３）にて検出された遊技媒体を貯留する遊技媒体貯留部（回収球タンク２８４）と、遊技機の下方位置から上方位置に架設されて遊技媒体を移送するための遊技媒体移送通路（揚送路２８９）と、前記遊技媒体貯留部（回収球タンク２８４）に連結され、該遊技媒体貯留部に貯留された遊技媒体を、前記遊技媒体移送通路（揚送路２８９）を通して遊技機の上方位置へ移送する移送部（揚送装置２８８）と、該移送部により移送され前記遊技媒体移送通路の上方位置より排出された遊技媒体を前記遊技媒体払出部（球切払出装置２６５）に導く遊技媒体環流通路（環流路２５９）と、遊技機を循環する遊技媒体量を監視するための遊技媒体量監視手段（上部タンク満タン検出センサ２６１、回収球満タン検出センサ２８５、揚送球検出センサ２８７、揚送制御基板２９５）と、前記記憶部（ＲＡＭ２９１ｃ）に記憶されている遊技媒体数（クレジット球数）の範囲内における遊技媒体を前記遊技媒体払出部（球切払出装置２６５）から前記遊技媒体待機部（打球待機皿２２０）に払出させるための遊技媒体払戻手段（上皿払出ボタン２３８、持点制御マイクロコンピュータ２９１ａ、球払出制御基板２９４）と、該遊技媒体払戻手段により前記遊技媒体払出部（球切払出装置２６５）から前記遊技媒体待機部（打球待機皿２２０）へ払出される遊技媒体を検出する払戻遊技媒体検出手段（減算スイッチ２７０）と、前記遊技媒体（パチンコ球）を遊技機（パチンコ機２）外部に取り出すための外部取出部（外部取出口２４９）と、前記記憶部（ＲＡＭ２９１ｃ）に記憶されている遊技媒体数（クレジット球数）の範囲内における遊技媒体を前記外部取出部（外部取出口２４９）より遊技者が遊技機外部に取り出すために操作する外部取出操作部（外部払出ボタン２３９）と、該外部取出操作部の操作に基づき前記記憶部（ＲＡＭ２９１ｃ）に記憶されている遊技媒体数（クレジット球数）の範囲内における遊技媒体を前記遊技媒体払出部（球切払出装置２６５）から前記外部取出部（外部取出口２４９）に払出させるための遊技媒体取出手段（持点制御マイクロコンピュータ２９１ａ、球払出制御基板２９４）と、該遊技媒体払出部（球切払出装置２６５）から払出された遊技媒体を前記外部取出部（外部取出口２４９）に導くための遊技媒体取出通路（取出球通路２７６）と、前記遊技媒体払出部（球切払出装置２６５）より前記外部取出部（外部取出口２４９）に払出される遊技媒体を検出する外部取出遊技媒体検出手段（減算スイッチ２７０）と、前記払戻遊技媒体検出手段及び前記外部取出遊技媒体検出手段による前記遊技媒体の検出に基づき、前記記憶部（ＲＡＭ２９１ｃ）に記憶されている遊技媒体数（クレジット球数）を減算更新する減算更新手段（持点制御マイクロコンピュータ２９１ａ）と、前記外部取出部（外部取出口２４９）から排出される遊技媒体（パチンコ球）の取出準備が完了しているか否かを検出する取出準備完了検出部（取出準備検出センサ２５０）と、を備え、前記遊技媒体取出手段（持点制御マイクロコンピュータ２９１ｃ、球払出制御基板２９４）は、前記取出準備完了検出部による取出準備の完了が検出された場合において、前記遊技媒体払出部（球切払出装置２６５）から遊技媒体を払出させる。
【０１６９】
本発明の請求項２は、少なくとも前記遊技媒体払戻手段（上皿払出ボタン２３８、持点制御マイクロコンピュータ２９１ａ、球払出制御基板２９４）により前記遊技媒体払出部（球切払出装置２６５）から払い出される遊技媒体が通過する払い戻し遊技媒体通路（第１経路２６６）と、遊技媒体の貸し出し或いは入賞に基づき前記遊技媒体払出部（球切払出装置２６５）から払い出される遊技媒体が通過する払い出し遊技媒体通路（第２経路２６７）とを備え、これら各通路のいずれかに前記遊技媒体払出部（球切払出装置２６５）より払い出された遊技媒体の通路を切り替える通路切り替え部（上部経路切替弁）が設けられている。
【０１７０】
以上、本発明の実施形態を図面を用いて前記各実施例にて説明してきたが、本発明はこれら各実施例に限定されるものではなく、本発明の主旨を逸脱しない範囲における変更や追加があっても本発明に含まれることは言うまでもない。
【０１７１】
また、前記各実施例では、下部進路切替装置２７４を用いて通路切替を実施して外部取出口２４９からの外部払出を実施しているが、本発明はこれに限定されるものではなく、例えば、図１９に示すように、該皿部２２１の待機遊技球の流入部位置に球抜き口３２０を設け、この球抜き口３２０と外部取出口２４９とを球抜き通路３２２により連通させて、皿部２２１を経由して外部払出を実施できるようにしても良い。
【０１７２】
具体的には、球抜き口３２０に、該球抜き口３２０を開閉するシャッタ３２１を設けるとともに、シャッタ３２１を開閉する開閉レバー３２３を皿部２２１の上部に設けるようにすることで、該開閉レバー３２３を操作してシャッタ３２１を開くと、第１段階として、皿部２２１に待機する遊技球が、球抜き口３２０から球抜き通路３２２を介して外部取出口２４９に流下し、外部取出口２４９からパチンコ機２外へ排出される。
【０１７３】
この際、前記実施例に示すように、自動払戻（球貸）ボタン２３２の操作に基づく自動払戻設定が設定された状態である場合には、前記外部取出口２４９からのパチンコ球の排出に伴って、皿部２２１に残存する遊技球が少ない状態となることで、待機球検出センサ２２２にて遊技球が検出されなくなり、第２段階として前記クレジット表示部２２３に表示されているクレジット球数から皿部２２１への払戻が実施される。
【０１７４】
これら皿部２２１へ払い戻されたパチンコ球は、前記待機遊技球と同様に球抜き口３２０より球抜き通路３２２を介して外部取出口２４９に流下し、外部取出口２４９からパチンコ機２外へ排出されていくことで、再度前記第１段階と同様の状況となって、前記第２段階の払戻がクレジット球数が無くなるまで順次繰り返し実施されるようになることで、前記皿部２２１に残存する待機遊技球とともに前記クレジット表示部２２３に表示されているクレジット球数を外部取出口２４９より取り出せるようになる。
【０１７５】
また、これら皿部２２１を経由する外部取出においては、前述のように自動払戻設定が設定されている必要があるが、これら自動払戻設定が設定されていない場合における皿部２２１を経由する外部取出を可能とするために、例えば前記開閉レバー３２３の開閉を検知する開閉センサを設けて、所定の時間、例えば２秒以上において開閉レバーが開かれた場合には、前記自動払戻設定が設定されるようにして、自動払戻設定が設定されていなくても、前記開閉レバー３２３を所定時間以上に渡って開放することで、自動的に自動払戻設定が設定されてクレジット球が皿部２２１へ払い出されるようにしても良い。
【０１７６】
また、球抜き口３２０から遊技球を外部払出した際に、球抜き口３２０の下流側に遊技球が残る場合があるが、この場合には、外部払出を行う際にシャッタ３２１とともにシャッタ２４５を開放して、遊技球を待機球排出口２４４から取り込んで一度クレジット加算し、前述したようにクレジット球数を減算し、減算された分の遊技球を皿部２２１に払い出して、球抜き口３２０から外部取出口２４９に流下されるようにすれば、皿部２２１に遊技球を残すことなくすべての遊技球を外部払出する事が出来る。また、待機球排出口２４４の位置に球抜き口３２０を設けるようにすれば、遊技球が残らないようにすることもでき、また球抜き口を設ける位置については限定されるものではない。
【０１７７】
前記各実施例では、遊技媒体環流経路を構成する揚送装置２８８や、揚送球通路２８６や、研磨装置２９０等を遊技機であるパチンコ機２の裏面に取り付けられているが、本発明はこれに限定されるものではなく、これら遊技媒体環流経路の一部となる揚送装置２８８や、揚送球通路２８６や、研磨装置２９０等をユニット構成として、遊技機２に対して着脱自在に取り付けても良い。
【０１７８】
この場合の具体例としては、図２０に示されるように、前記パチンコ機２のガラス扉枠２０１（前面枠とも言う）が、複数台のパチンコ機２を設置可能な遊技島台３３０に固設するための基枠３３１（外枠とも言う）に対して蝶番３３２を介して枢着されて基体３３１の前面を開閉自在に設けられている場合において、前記遊技媒体環流経路を構成する揚送装置２８８や、揚送球通路２８６や、研磨装置２９０等を、例えばユニット部材３３３等を介して予めユニット化し、ユニット化された遊技媒体環流経路をガラス扉枠２０１の裏面に対して着脱自在に設ければよい。つまりは、前記遊技媒体環流経路を遊技機であるパチンコ機２に対して着脱し得るように設けるようにすれば良く、このようにすることで、これら遊技媒体環流経路をパチンコ機２の交換時において、新たに設置されるパチンコ機２に容易に流用できるようになる。
【０１７９】
また、これら遊技媒体環流経路の一部となる揚送装置２８８や、揚送球通路２８６や、研磨装置２９０等を、例えば図２１に示すように、ガラス扉枠２０１側でなく遊技島台３３０側、例えば遊技島台３３０の載置板３３４上等に設けておき、パチンコ機２を遊技島台３３０に設置してガラス扉枠２０１により基枠３３１の前面を閉塞した状態において、これら遊技島台３３０側に設けられている揚送装置２８８や、揚送球通路２８６や、研磨装置２９０等が本発明における遊技媒体環流経路を形成するようにしても良い。つまり、本発明はパチンコ機２が設置された状態で遊技媒体環流経路が形成されるものも含まれる。
【０１８０】
このように、これら揚送装置２８８や、揚送球通路２８６や、研磨装置２９０等をユニット構成としたり、遊技島台３３０側に設けるようにして、パチンコ機２の交換において、これらの機器を交換せずに流用できるようにしても良い。
【０１８１】
前記実施例１では、遊技媒体待機部である皿部２２１に開閉蓋２２５を設けているが、本発明はこれに限定されるものではなく、これら開閉蓋２２５を設けない構成としても良いし、前記実施例２のように、これら開閉蓋２２５が開閉しない構成としても良い。また、前記実施例１ではこれら開閉蓋２２５の全面透明としているが、本発明はこれに限定されるものではなく、これら開閉蓋２２５を不透明の部材としたり、その一部を透明としたり、該皿部２２１にどの程度の遊技球が残存しているかを確認できるように目盛り等を設けること等は任意とされる。
【０１８２】
前記各実施例では、前記記憶部であるＲＡＭ２９１ｃに記憶されているクレジット球数を、前記上皿払出ボタン２３８の操作に基づき、前記皿部２２１へ払い戻すことで、一度クレジットしたクレジット球数を再度遊技に使用できるようにしているが、本発明はこれに限定されるものではなく、前記ＲＡＭ２９１ｃに記憶されているクレジット球数を払戻しすることなく、精算カード、会員カードに記録、発行して景品との交換のみが実施できるようにしても良い。また、会員カードにより一旦貯球として記憶され、その貯球により再プレイできるようになっていてもよく、その再プレイの払出を球貸と同様にパチンコ機から払出しても良い。
【０１８３】
前記各実施例では、クレジット表示部２２３を設けているが本発明はこれに限定されるものではなく、これらクレジット表示部が遊技機以外の例えば遊技島台３３０に設けられている表示器に表示させるようにして、これらクレジット表示部を遊技機に設けない構成としても良い。また、これら遊技機外にクレジット表示部を設ける場合等において、該クレジット表示部に代えて、クレジット数量を棒状の表示長さにて視認可能とするような遊技媒体量表示部を設けるようにすること等は任意とされる。また、遊技媒体量表示部を別途パチンコ機２に設けても良い。
【０１８４】
前記各実施例では、上部貯留タンク２６０と回収球タンク２８４とを設けているが、本発明はこれに限定されるものではなく、これらを１つのタンクとしたり、前記揚送装置２８８が十分な揚送能力を有する場合等においては、これら遊技媒体貯留部を設けない構成としても良い。
【０１８５】
前記各実施例では、前記回収球タンク２８４に回収されたパチンコ球を揚送装置２８８にて揚送して遊技媒体払出部である球切払出装置２６５に環流するようにしているが、本発明はこれに限定されるものではなく、これら遊技媒体払出部自体が遊技媒体であるパチンコ球を揚送して払い出すようにして、必ずしも遊技媒体環流経路である揚送路２８９上に揚送装置２８８を有しない構成としても良い。
【０１８６】
また、前記各実施例では、前記遊技媒体環流経路である揚送路２８９上に清浄部となる研磨装置２９０を設けているが、本発明はこれに限定されるものではなく、これら研磨装置２９０は、パチンコ球が循環する経路のどの位置に配置するようにしても良い。例えば、これら研磨装置を前記球切払出装置２６５や回収球タンク２８４等に清浄部である研磨装置を設けても良い。また、これら清浄部としては、前記研磨装置２９０に限定されるものではなく、布や紙等にて汚れを拭き取るもの以外に、液体の洗浄液等にて洗浄するものを用いるようにしても良い。
【０１８７】
また、前記各実施例では、上部タンク満タン検出センサ２６１並びに回収球満タン検出センサ２８５や揚送球検出センサ２８７を設けて、前記揚送制御基板２９５に設けられている前記揚送制御マイクロコンピュータによるパチンコ球の監視を実施し、該監視に基づき、前記満タン報知ランプ２４１やタンク空報知ランプ２４２を点灯して監視情報を出力、報知するようにしているが、本発明はこれに限定されるものではなく、例えば、前記第２通信部（ＣＯＭ２）２５５を通じてホールコンピュータ１０２に対し、前記遊技情報や中断情報に加えて、前記監視情報を出力することで、該ホールコンピュータ１０２において各パチンコ機２のパチンコ球量を一元的に監視できるようにしてもしても良い。
【０１８８】
また、前記各実施例では、上部タンク満タン検出センサ２６１並びに回収球満タン検出センサ２８５や揚送球検出センサ２８７を設けて実際に残存するパチンコ球の容量を監視しているが、本発明はこれに限定されるものではなく、これらパチンコ機２内に残存するパチンコ球を、予め稼働開始時にパチンコ機２内に残存する球を把握しておき、前記打込球数レジスタや補給球数レジスタの打込球情報や補給球数の比較により残量を監視しても良いし、或いは、前記外部払出ボタン２３９の操作時における減算スイッチ２７０のパチンコ球の検出に基づく外部払出数が加算記憶される外部払出レジスタを設けて、外部払出されて減少したパチンコ球数を監視するようにしても良い。
【０１８９】
また、前記各実施例では、パチンコ機２の上部位置に遊技媒体上部貯留として上部貯留タンク２６０を設けており、このようにすることは、遊技機が循環使用することのできるパチンコ球の総量を増やすことができるとともに、前記揚送路２８９や揚送装置２８８として、比較的揚送能力の低い小型もの或いは安価なものを使用することが可能となり、これら揚送装置がパチンコ機２裏面部に占めるスペースを低減できるばかりか遊技機のコストを低減させることもできることから好ましいが、本発明はこれに限定されるものではなく、これら揚送装置として小型で且つ十分な揚送能力が得られる場合においては、前記上部貯留タンク２６０を設けずとも良い。
【０１９０】
また、前記各実施例においては、前記上部貯留タンク２６０の内部に貯留されているパチンコ球が所定の上限量に達しているかを検知するための上部タンク満タン検出センサ２６１を設けていて、該上部タンク満タン検出センサ２６１によるパチンコ球の検出状況に応じて前記揚送装置２８８の稼働を制御することは、前記上部貯留タンク２６０内に所定量のパチンコ球が定常的に貯留されるようになることから好ましいが、本発明はこれに限定されるものではない。
【０１９１】
また、前記各実施例においては、前記第２操作基板２３７に上皿払出ボタン２３８を設けて、遊技者が自分の操作にて任意にクレジット球数の前記打球待機皿２２０への払い戻しを受けることができるようになっているが、本発明はこれに限定されるものではなく、前記自動払い戻しによる払い戻しのみが実施されるようにしても良い。
【０１９２】
また、前記各実施例においては、前記第２操作基板２３７に外部払出ボタン２３９を設けて、遊技者が自分の操作にて任意にクレジット球数を前記外部取出口２４９より取り出せるようになっているが、本発明はこれに限定されるものではない。
【０１９３】
また、前記実施例１においては、前記開閉蓋２２５を前記打球待機皿２２０の上部に設けて、パチンコ機２の外部よりパチンコ球を投入できるようにしているが、本発明はこれに限定されるものではなく、前記実施例２の打球待機部２２０’ように、該上面を開閉不能に覆って外部からのパチンコ球の投入を不可とするようにしても良い。
【０１９４】
また、これら外部からのパチンコ球の投入部として、前記実施例１では開閉蓋２２５を設けているが、本発明はこれに限定されるものではなく、これら投入部の形態や設置位置等は適宜に選定すれば良く、前記打球待機皿２２０にパチンコ球が導かれるような構造となっていれば良い。
【０１９５】
また、前記各実施例においては、前記取出準備検出センサ２５０を設けることで、払出されるパチンコ球の貯留準備が完了していない時点にて、誤って前記外部払出ボタン２３９が操作されても、パチンコ球が外部取出口２４９より払出されてしまうことを回避できるようにしているが、本発明はこれに限定されるものではない。
【０１９６】
また、前記各実施例においては、前記自動払戻（球貸）ボタン２３２並びに待機球検出センサ２２２を設けて、打球待機皿２２０に待機球が少なくなった場合において自動的にパチンコ球の払い戻し或いは貸し出しを実施するようにしており、このようにすることは、遊技者の払い戻し操作や貸し出し操作の煩雑さを解消することができることから好ましいが、本発明はこれに限定されるものではない。
【０１９７】
また、前記各実施例においては、前記自動払戻（球貸）ボタン２３２を設けて、遊技者が自動払い戻し或いは自動貸し出しを設定できるようにしているが、本発明はこれに限定されるものではない。
【０１９８】
また、前記実施例１においては、前記カードユニット３に接続される第１通信部（ＣＯＭ１）２５４を設け、該接続されているカードユニット３に精算情報を送信してプリペイドカード或いは会員カードにクレジット球数等の情報を記録し、該プリペイドカード或いは会員カードを返却するようにしているが、本発明はこれに限定されるものではなく、これら精算情報を送信する先を他の外部機器、例えば専用の精算装置や精算用のコンピュータにて、クレジット球数の情報を記録したカードを発行しても良い。
【０１９９】
また、前記実施例１では、前述のように、カードユニット３にクレジット球数を含む精算情報を送信する精算処理を実施するようにしているが、本発明はこれに限定されるものではなく、例えば前記実施例２のように、パチンコ機２を直接管理コンピュータ１００に接続し、該管理コンピュータ１００に対して前記カードユニット３にて受付け中のプリペイドカード或いは会員カードのカードＩＤとクレジット球数とを送信、登録することで精算処理を行うようにするようにしても良い。
【０２００】
また、前記実施例２では、パチンコ機２’の前記打球待機部２２０’の下部にリーダライタ収容部２１９を設け、該内部にカードリーダライタ２２４をパチンコ機２’の前面に沿う形で配置し、精算カード或いは中断カードをパチンコ機２’の側方側より発行、挿入できるようにしているが、本発明はこれに限定されるものではなく、前記カード発行口２１８が前面を向いて設けられていても良く、これらカードリーダライタ２２４の配置形態や位置等は、挿入や抜き取りの操作性等を考慮して適宜に選択すれば良い。
【０２０１】
また、前記各実施例においては、打込球回収路２５８を設けて打込球合流樋２５７により収集された入賞球（セーフ球）並びにアウト球を回収球タンク２８４へ移送、回収するようにしており、このようにすることで、これらの遊技に使用された入賞球（セーフ球）並びにアウト球も後述する揚送装置２８８にて揚送されて循環使用されるようになるため、パチンコ機２内部のパチンコ球を有効に使用することが可能となるとともにパチンコ球が均等に清浄化されることから好ましいが、本発明はこれに限定されるものではない。
【０２０２】
また、前記各実施例においては、ファール口２４８から流入するファール球を前記クレジット球スイッチ２８３に導いてクレジット加算されるようにしているが、本発明はこれに限定されるものではなく、これらファール球を検出するセンサを別途設け、該センサがパチンコ球を検出したらクレジット加算するようにしても良い
【０２０３】
また、前記各実施例においては、前記球切払出装置２６５に払出するパチンコ球の経路を第１経路２６６或いは第２経路２６７に切替可能な流路切替部としての上部経路切替弁２６８を設けることで球切払出装置２６５を１つのみとしているが、本発明はこれに限定されるものではなく、これら所定数のパチンコ球の払い出しを行う球切払出装置を前記第１経路２６６並びに第２経路２６７のそれぞれに設けるようにしても良い。
【０２０４】
また、遊技媒体の貸出、入賞による遊技媒体の払出、クレジットの払い戻し、それらをそれぞれ別途払出装置を設けても良いし、その払出装置の払出機構が異なるものでも良いし、いずれかを共通の払出装置で行ったり、さらには、流路を切り替えるなどの機構はどのように組み合わせても良い。
【０２０５】
また、前記各実施例においては、前述のように打球待機皿２２０に精算ボタン２３４の操作時等に開放されるシャッタ２４５を設けて該打球待機皿２２０に残留する待機球を、待機球払出通路２７７を通じてクレジット球スイッチ２８３に導くようにすることは、遊技者は前記精算ボタン２３４を操作するのみで、前記打球待機皿２２０に残留する待機球が自動的にクレジット加算された後に精算処理が実施されるようになるため、遊技者の精算操作を簡素化することができるばかりか、前記待機球の取り忘れも防止することもできることから好ましいとともに、これら待機球を検出するための検出スイッチを個別に設ける必要もなくなることから好ましいが、本発明はこれに限定されるものではなく、待機球を検出するための検出スイッチを別途設けて、該検出スイッチにより検出された待機球をクレジット加算するようにしても良い。
【０２０６】
また、前記各実施例では、前記満タン報知ランプ２４１やタンク空報知ランプ２４２をパチンコ機２のガラス扉枠２０１に設けているが、本発明はこれに限定されるものではなく、これら満タン報知ランプ２４１やタンク空報知ランプ２４２の点灯に連動する信号出力部を設けて、外部機器、例えば呼び出しランプや管理コンピュータにてこれらの信号に基づくランプに点灯や報知を実施するようにしても良い。
【０２０７】
また、前記各実施例では実施していないが、前記クレジット球数を自動的に前記外部取出口２４９に払い出すような実球払出設定を行うことができるようにして、クレジット機能のない従来の遊技機のように遊技を行えるようにしても良い。
【０２０８】
また、前記各実施例では実施していないが、外部払出ボタン２３９の入力操作に基づいて、前記精算ボタン２３４の操作時と同様に前記打球待機皿２２０に残留している待機球をクレジット加算してから或いはクレジット加算しながら前記外部取出口２４９からクレジット球の払出を受けられるようにしても良い。更には、前記打球待機皿２２０に残留している待機球をクレジット加算するためのクレジットボタン等を設けるようにしても良い。
【０２０９】
また、本実施例では実施していないが、前記カードユニット３に挿入されたカードが会員カードである場合には、該会員カードに記録されているクレジット球数をカードユニット３から入手して前記クレジットレジスタに登録することで、遊技者が他のパチンコ機２にて獲得したクレジット球数を使用して遊技できるようにしても良い。また、これら他のパチンコ機にて獲得したクレジット球数を使用する場合においては、手数料として所定割合球数の減算を実施し、該減算後のクレジット球数を使用できるようにすること等は任意とされる。
【０２１０】
また、前記実施例２では、カードリーダライタ２２４より中断カードのみを受け付けるようになっているが、本発明はこれに限定されるものではなく、これらカードリーダライタ２２４にて、前記実施例１にて前記カードユニット３にて受け付けているプリペイドカードや会員カードを受け付けるようにしても良い。
【０２１１】
また、前記実施例２では、精算カード並びに中断カードとして発行する記録媒体（カード）としてリライトカードを使用しているが、本発明はこれに限定されるものではなく、これら発行される記録媒体としては、通常の磁気カードやクレジット球数データが記録された情報記録シンボルであるバーコード等が印刷されたレシート等であっても良く、これら発行する記録媒体は、クレジット球数の大きさを特定可能な情報が記録可能なものであれば使用することができる。また、これら記録媒体の形状はカード形状に限定されるものではなく、コイン状や球状のものであっても良い。尚、前記カードユニット３に挿入される遊技用記録媒体である会員カードやビジターカードの形状もカード状に限定されるものではなく、コイン状や球状のものであっても良い。
【０２１２】
また、前記実施例１では、カードユニット３にカードが挿入されていない場合に精算ボタン２３４が操作された場合には、該カードユニット３に対して精算カード挿入を報知するために動作ランプ３０１を点滅点灯させるようにしているが、本発明はこれに限定されるものではなく、これらカードユニット３にカードが挿入されていない場合には、前記外部取出口２４９よりクレジット球数を払い出すようにしても良い。
【０２１３】
また、前記実施例１では、前記開閉蓋２２５よりパチンコ球を投入できるこことから、カードユニット３にカードが挿入されていない場合でも遊技が可能となってしまうことから、これらカード挿入がない場合の遊技を規制するために、カードユニット３にカードが挿入されていない場合には前記打球操作ハンドル２４０の操作を無効化するようにしても良い。
【０２１４】
また、前記各実施例では上部表示器２２８を設け、該上部表示器２２８に前記クレジット表示部２２３と同様にその時点でのクレジット球数を表示するようになっており、このようにすることは、他の遊技客へのアピール性を向上できることから好ましいが、本発明はこれに限定されるものではない。また、これら上部表示器２２８に表示する表示データを、表示機能を有する外部機器、例えば呼び出しランプ等に出力するようにしても良い。
【０２１５】
また、前記上部表示器２２８へのクレジット球数の表示を実施させないように遊技者が選択操作可能な操作部等を設けることは任意とされる。
【０２１６】
また、前記各実施例では前記未払出球表示部２３０を設けて、前記球切払出装置２６５より未払い出しの賞球数を表示するようにしているが、本発明はこれに限定されるものではない。
【０２１７】
また、前記第２操作基板２３７を前記第１操作基板２２９とは個別に設けているが、本発明はこれに限定されるものではない。また、これら第１操作基板２２９や第２操作基板２３７の配置位置等は操作性を考慮して適宜に選定すれば良い。
【０２１８】
また、前記各実施例にて示したフロー図による処理内容は、使用するマイコンの性能やメモリの容量並びに接続される各デバイスの能力等により適宜に変更できることは言うまでもない。
【０２１９】
また、前記実施例では、遊技媒体としてパチンコ球を用いたパチンコ機を例に説明したが、本発明の遊技媒体はこれに限定されるものではなく、その他の遊技媒体を使用する遊技機、例えば、遊技球やコインなどの遊技媒体を使用するスロットマシンにも適応可能である。つまりは、所定の払出条件の成立（可変表示装置が遊技者の停止操作によって例えば７７７などの識別情報が特定の組み合わせとなったいわゆる入賞したときなど）に基づいて遊技媒体（コイン、パチンコ球）を払出する遊技媒体払出部（コインであれば俗にいうホッパー装置であり、パチンコ球であれば球切払出装置２６５のような払出装置を用いればよい）と、該遊技媒体払出部から払出された遊技媒体が待機する遊技媒体待機部（コインや、パチンコ球を受ける受皿）と、を備え、該遊技媒体待機部に待機する遊技媒体を使用して遊技を行う遊技機（この受け皿のコインやパチンコ球をベットボタンを押すことで所定量取り込むようにすればよい、コインであれば小型の計数器を受皿に設ければよいし、パチンコ球であれば球切払出装置２６５と同様な機構を用いれば取込装置としても利用できる）であって、前記遊技媒体待機部から溢れ出た遊技媒体および前記遊技媒体待機部が待機中の遊技媒体にて満杯状態である場合において前記遊技媒体払出部から払出された遊技媒体が通過する溢れ遊技媒体通路と、該溢れ遊技媒体通路を通過する遊技媒体を検出する溢れ遊技媒体検出手段と、該溢れ遊技媒体検出手段における遊技媒体の検出に基づき、該検出された遊技媒体数を遊技に使用可能な遊技媒体数として加算更新する加算更新手段と、該加算更新手段により加算された遊技媒体数を記憶する記憶部と、少なくとも前記溢れ遊技媒体検出手段にて検出された遊技媒体を前記遊技媒体払出部に導く遊技媒体環流経路（パチンコ球であれば揚送装置２８８のような揚送装置を用いればよい。コインであれば溢れ遊技媒体通路から導かれるコインを特開平１１−１７９０４１号公報にあるような揚送研磨装置で循環させるようにしたもの）と、を備える遊技機とすれば良い。
【０２２０】
【発明の効果】
本発明は次の効果を奏する。
（ａ）請求項１の発明によれば、少なくとも前記遊技媒体払出部より払い出されて前記溢れ遊技媒体検出手段にて検出された遊技媒体が前記記憶部に加算記憶されるとともに、該検出済みとなった遊技媒体が前記遊技媒体貯留部、移送部、遊技媒体移送通路、遊技媒体環流通路を通じて前記遊技媒体払出部に環流され、再度遊技媒体払出部より払い出されるようになり、これら遊技媒体が遊技機１台にて循環使用されるようになるため、１台の遊技機に必要とされる遊技媒体量を大幅に低減することができ、且つ前記遊技媒体貯留部、移送部、遊技媒体移送通路、遊技媒体環流通路を有することから遊技機の設置における自由度を向上できるとともに、前記遊技媒体量監視手段にて遊技媒体の増加或いは減少を監視できるようになるため、これら遊技媒体の増加或いは減少による不具合の発生を事前に把握することができる。また、前記記憶部に記憶されている遊技媒体数を目視にて確認することができるとともに、一度前記記憶部に加算された遊技媒体数を再度前記遊技媒体待機部へ払出させて、再度遊技に使用することができる。さらに、遊技者は前記外部取出操作部を操作することで、前記記録部に記録されている遊技媒体数の範囲内の遊技媒体を、前記外部取出部より遊技機外部に任意に取り出すことができる。そして、例えば遊技球貯留箱の配置等の遊技媒体の貯留準備が完了していない時点にて、誤って前記外部取出操作部が操作されても、遊技媒体が外部取出部より排出されてしまうことを回避できる。
【０２３２】
（ｂ）請求項２の発明によれば、遊技媒体の払い戻し用の遊技媒体払出部と、遊技媒体の貸し出し或いは入賞に基づく遊技媒体の払い出し用の遊技媒体払出部とを個別に設ける必要がなく、遊技機を簡素化することができる。
【図面の簡単な説明】
【図１】本発明の実施例１のパチンコ機並びにカードユニットを示す外観正面図である。
【図２】本発明の本実施例１のパチンコ機の打球待機皿を示す上面図である。
【図３】本発明の実施例１本実施例１のパチンコ機の背面図を示す図である。
【図４】本発明の本実施例１のパチンコ機並びにカードユニットの構成を示すブロック図である。
【図５】本発明の実施例１に用いた球切払出装置並びにその周囲の流路を示す一部破断斜視図である。
【図６】（ａ）〜（ｃ）は、本発明の実施例１に用いた球切払出装置並びにその周囲の流路の経路切替状況示す断面図である。
【図７】本発明の実施例１のパチンコ機の背面下部の拡大説明図である。
【図８】本発明の実施例１のパチンコ機並びにカードユニットが設置された遊技場のシステム図である。
【図９】本発明の実施例１における持点制御マイクロコンピュータ２９１ａが実施する処理フロー図である。
【図１０】本発明の実施例１における揚送制御マイクロコンピュータが実施する処理フロー図である。
【図１１】本発明の実施例１における持点制御マイクロコンピュータ２９１ａが遊技中断中にて実施する処理フロー図である。
【図１２】本発明の実施例２のパチンコ機並びにカードユニットを示す外観正面図である。
【図１３】本発明の本実施例２のパチンコ機の打球待機皿を示す上面図である。
【図１４】本発明の本実施例２にて用いた精算カード並びに中断カード発行用のカードリーダライタ２２４を示す外観斜視図である。
【図１５】本発明の本実施例２のパチンコ機並びにカードユニットの構成を示すブロック図である。
【図１６】本発明の実施例２のパチンコ機並びにカードユニットが設置された遊技場のシステム図である。
【図１７】本発明の実施例２における持点制御マイクロコンピュータ２９１ａが実施する処理フロー図である。
【図１８】本発明の実施例２における持点制御マイクロコンピュータ２９１ａが遊技中断中にて実施する処理フロー図である。
【図１９】本発明の変形例である、皿部２２１を経由して外部払出を行う場合に球抜き通路が設けられたパチンコ機の外観正面図である。
【図２０】本発明の変形例である、揚送装置や研磨装置等がユニット化されている様子を示す図である。
【図２１】本発明の変形例である、揚送装置や研磨装置等が遊技島台側に設けられている様子を示す図である。
【符号の説明】
２        パチンコ機
２’      パチンコ機
３        カードユニット
３７      リライトカード
８０      貯留ボックス
８７      搬送ローラ
８８      フリーローラ
８９      本体部
９０      カバー部
９１      通信ヘッド
９２      搬送路
９３      プラテンローラ
９４      サーマルヘッド
９６      駆動モータ
９７ａ    発光部
９７ｂ    受光部
９８      タイミングベルト
９９      駆動ギア
１００    管理コンピュータ
１０１    ＰＯＳレジ
１０２    ホールコンピュータ
２０１    ガラス扉枠
２０２    遊技盤
２０３    遊技領域
２０４    第１可変表示部
２０５    第２可変表示部
２０６    通過ゲート
２０７    始動入賞口
２０８    可動片
２０９    通常入賞口
２１０    第１可変入賞球装置
２１１    開閉板
２１２    振分装置
２１３    回転円盤
２１３ａ  特定入賞口
２１３ｂ  通常入賞口
２１４    回転ロータ
２１４ａ  切欠
２１４ｂ  ロータ内入賞口
２１５    第２可変入賞球装置
２１６    開閉板
２１７    アウト口
２１８    カード発行口
２１９    リーダライタ収容部
２１９’  カバー部
２２０    打球待機皿
２２０’  打球供給部
２２１    皿部
２２２    待機球検出センサ
２２３    クレジット表示部
２２４    カードリーダライタ
２２５    開閉蓋
２２６    蝶番
２２７    カード残高表示部
２２８    上部表示器
２２９    第１操作基板
２３０    未払出球表示部
２３１    球貸ボタン
２３２    自動払戻（球貸）ボタン
２３３    自動払戻（球貸）ランプ
２３４    精算ボタン
２３５    中断ボタン
２３６    中断中ランプ
２３７    第２操作基板
２３８    上皿払出ボタン
２３９    外部払出ボタン
２４０    打球操作ハンドル
２４１    満タン報知ランプ
２４２    タンク空報知ランプ
２４３    球流入口
２４４    待機球払出口
２４５    シャッタ
２４５’  ソレノイド
２４６    発射球検出センサ
２４７    打球発射レール
２４８    ファール口
２４９    外部取出口
２５０    取出準備検出センサ
２５１    貯留箱
２５４    第１通信部（ＣＯＭ１）
２５５    第２通信部（ＣＯＭ２）
２５７    打込球合流樋
２５８    打込球回収路
２５９    環流路
２６０    上部貯留タンク
２６１    上部タンク満タン検出センサ
２６２    球抜弁
２６３    球切れセンサ
２６５    球切払出装置
２６６    第１経路
２６７    第２経路
２６８    上部経路切替弁
２６９    ソレノイド
２７０    減算スイッチ
２７１    下部経路切替弁
２７２    ソレノイド
２７３    球抜通路
２７４    下部進路切替装置
２７５    クレジット球通路
２７６    取出球通路
２７７    待機球払出通路
２７８    待機球合流口
２７９    打込球検出スイッチ
２８１    払出球検出スイッチ
２８２    ドア開閉検出スイッチ
２８３    クレジット球スイッチ
２８４    回収球タンク
２８５    回収球満タン検出センサ
２８６    揚送球通路
２８７    揚送球検出センサ
２８８    揚送装置
２８９    揚送路
２９０    研磨装置
２９１    持球制御基板
２９１ａ  持点制御マイクロコンピュータ
２９１ｂ  ＲＯＭ
２９１ｃ  ＲＡＭ
２９２    発射制御基板
２９３    打球発射モータ
２９３’  揺動ハンマ
２９４    球払出制御基板
２９５    揚送制御基板
２９６    遊技制御基板
２９７    表示制御基板
２９８    ランプ制御基板
２９９    音声制御基板
３０１    動作ランプ
３０２    紙幣インジケータ
３０３    紙幣挿入口
３０４    カードインジケータ
３０５    カード挿入口
３０６    硬貨投入口
３０７    硬貨返却ボタン
３０９    硬貨インジケータ
３１０    硬貨返却口
３１１    紙幣識別ユニット
３１２    カードリーダライタ
３１３    硬貨識別ユニット
３１４    ＲＯＭ
３１５    ＲＡＭ
３１６    第２通信部
３１７    第１通信部
３１８    制御マイコン（ＭＰＵ）
３２０    球抜き口
３２１    シャッタ
３２２    球抜き通路
３２３    開閉レバー
３３０    遊技島台
３３１    基枠
３３２    蝶番
３３３    ユニット部材
３３４    載置板
４０１    駆動モータ
４０２    スプロケット
４１０    研磨カセット
４１２    台座
４１３    球誘導路
４１４    リール
４１５    リール
４１６    駆動軸
４１７    回転軸
４１８    研磨布
４１９    巻取モータ
４５０    駆動モータ
４５１    伝達ギア
４５２    スプロケット
４５３    カバー
４５４    連結路
ＳＷ１    ゲートスイッチ
ＳＷ２    始動入賞球検出スイッチ
ＳＷ３    通常入賞球検出スイッチ
ＳＷ４    通常入賞球検出スイッチ
ＳＷ５    特定入賞球検出スイッチ
ＳＷ６    特定入賞球検出スイッチ
ＳＷ７    通常入賞球検出スイッチ
ＳＷ８    ロータ内入賞球検出スイッチ
ＳＷ９    特別入賞球検出スイッチ
【図１】
0004793968.tif 000002
【図２】
0004793968.tif 000003
【図３】
0004793968.tif 000004
【図４】
0004793968.tif 000005
【図５】
0004793968.tif 000006
【図６】
0004793968.tif 000007
【図７】
0004793968.tif 000008
【図８】
0004793968.tif 000009
【図９】
0004793968.tif 000010
【図１０】
0004793968.tif 000011
【図１１】
0004793968.tif 000012
【図１２】
0004793968.tif 000013
【図１３】
0004793968.tif 000014
【図１４】
0004793968.tif 000015
【図１５】
0004793968.tif 000016
【図１６】
0004793968.tif 000017
【図１７】
0004793968.tif 000018
【図１８】
0004793968.tif 000019
【図１９】
0004793968.tif 000020
【図２０】
0004793968.tif 000021
【図２１】
0004793968.tif 000022